(57)【特許請求の範囲】
【請求項１】
発電により出力される一次電源部の出力電位差と前記一次電源部の起電力によって充電される二次電源部から出力される出力電位差とを比較し、比較結果を示す充電検出信号を出力する充電検出部と、
前記二次電源部の出力電位差が、予め定められた閾値以下である場合、且つ、前記一次電源部の出力電位差が前記二次電源部の出力電位差以下である非充電状態を示す前記充電検出信号が入力される場合に、時計装置の時刻を計時する時計動作を停止する低消費電力状態となり、前記一次電源部の出力電位差が前記二次電源部の出力電位差を超える状態を示す前記充電検出信号が入力される場合に、前記時計動作を行う時計動作状態となる消費電力制御部と、を備えることを特徴とする消費電力制御装置。
【請求項２】
前記充電検出信号の振動を防止する振動防止部、
を備え、
前記振動防止部は、予め定められた負荷を有し、
前記消費電力制御部は、前記充電検出信号が前記非充電状態を示す場合、前記一次電源部に前記負荷を接続させることを特徴とする請求項１に記載の消費電力制御装置。
【請求項３】
前記閾値は、前記時計動作が可能な下限電位差より予め定められた電位差分大きい値であることを特徴とする請求項１から請求項２のいずれか１項に記載の消費電力制御装置。
【請求項４】
前記時計装置は、
前記時計動作を制御する時計制御部を備え、
前記消費電力制御部は、
前記低消費電力状態に遷移させる場合に、前記時計制御部に前記時計動作を停止させる  ことを特徴とする請求項１から請求項３のいずれか１項に記載の消費電力制御装置。
【請求項５】
前記時計装置は、
時刻の計時に用いる基本クロック信号を発振して生成する発振制御部を備え、
前記消費電力制御部は、
前記低消費電力状態に遷移させる場合に、前記発振制御部に前記基本クロック信号の発振を停止させる
ことを特徴とする請求項４に記載の消費電力制御装置。
【請求項６】
前記発振制御部は、
定電圧回路部を備え、前記低消費電力状態にある場合、前記定電圧回路部の動作を停止する
ことを特徴とする請求項５に記載の消費電力制御装置。
【請求項７】
前記消費電力制御部は、
前記低消費電力状態に遷移させる場合に、前記時計制御部に前記時計動作を停止させた後に、前記発振制御部に前記基本クロック信号の発振を停止させ、
前記低消費電力状態から前記時計動作状態に遷移させる場合に、前記発振制御部に前記基本クロック信号の発振を開始させた後に、前記時計制御部に前記時計動作を開始させる  ことを特徴とする請求項５又は請求項６に記載の消費電力制御装置。
【請求項８】
前記時計動作には、時刻を表示する前記時計装置の針を運針する時刻モータを駆動する動作が含まれ、
前記閾値は、前記時刻モータを駆動可能な下限電位差より予め定められた電位差分大きい値であり、
前記時計制御部は、
前記低消費電力状態に遷移する場合に、前記時刻モータの駆動を停止することを特徴とする請求項４から請求項７のいずれか１項に記載の消費電力制御装置。
【請求項９】
前記消費電力制御装置は、
前記二次電源部の出力電位差が予め定められた閾値以下であるか否かを検出する検出部を備え、
前記消費電力制御部は、
前記非充電状態である場合、且つ、前記検出部によって検出された検出結果が予め定められた閾値以下である場合に、前記低消費電力状態に遷移させ、前記非充電状態でない場合に、前記低消費電力状態を解除させることを特徴とする請求項１に記載の消費電力制御装置。
【請求項１０】
前記充電検出部の出力が前記非充電状態を示す場合に、前記二次電源部から前記一次電源部に電流が逆流することを防止するスイッチ部を備え、
前記振動防止部は、
前記二次電源部の陽極端子と前記一次電源部の陽極端子との間、又は前記二次電源部の陰極端子と前記一次電源部の陰極端子との間に、前記非充電状態でない場合に順方向バイアスになる向きに前記スイッチ部と直列に配置され、前記充電検出部において比較を行う２つの入力端子間に予め定められた所定の電位差を生成するダイオード素子を含むことを特徴とする請求項２又は請求項９に記載の消費電力制御装置。
【請求項１１】
前記振動防止部は、
前記二次電源部の陽極端子と前記一次電源部の陽極端子との間、又は前記二次電源部の陰極端子と前記一次電源部の陰極端子との間に、前記スイッチ部と直列に配置され、前記充電検出部において比較を行う２つの入力端子間に予め定められた所定の電位差を生成する抵抗素子を含むことを特徴とする請求項１０に記載の消費電力制御装置。
【請求項１２】
前記振動防止部は、
予め定められた所定の周波数以上のパルス信号を前記充電検出部の出力から除去するローパスフィルタを含むことを特徴とする請求項２、請求項９のいずれか１項に記載の消費電力制御装置。
【請求項１３】
前記消費電力制御部は、前記低消費電力状態にある場合に、前記低消費電力状態を解除させると判定した場合、前記負荷の前記一次電源部への接続を解除することを特徴とする請求項２に記載の消費電力制御装置。
【請求項１４】
前記振動防止部は、
前記一次電源部に前記予め定められた負荷を接続するスイッチ部を備える
ことを特徴とする請求項２又は請求項１３に記載の消費電力制御装置。
【請求項１５】
前記起電力によって充電される二次電源部と、
前記二次電源部の出力電位差が予め定められた閾値以下であるか否かを検出する検出部とを備え、
前記消費電力制御部は、
前記検出部によって検出された検出結果が予め定められた閾値以下である場合に、前記低消費電力状態に遷移させ、
前記予め定められた負荷は、
前記二次電源部の出力電位差が前記予め定められた閾値と等しく、且つ低消費電力状態が解除されている場合において、前記第２の負荷部の消費電力より大きい電力を消費する負荷であることを特徴とする請求項２、請求項１３又は請求項１４のいずれか１項に記載の消費電力制御装置。
【請求項１６】
前記一次電源部は、太陽電池であり、
前記予め定められた負荷は、
前記太陽電池において起電力を生成するパネルに照射される光の照度と前記起電力との関係に基づいて定められる
ことを特徴とする請求項２、請求項１３、請求項１４又は請求項１５のいずれか１項に記載の消費電力制御装置。
【請求項１７】
時計動作を制御する時計制御部を備え、
前記時計制御部は、負荷を備え、
前記消費電力制御部は、前記充電検出信号が前記非充電状態を示す場合、前記時計制御部が備える負荷を前記一次電源部に接続させることを特徴とする請求項２、請求項１３、請求項１４、請求項１５又は請求項１６に記載の消費電力制御装置。
【請求項１８】
前記一次電源部は、光により起電力を生成する太陽電池であることを特徴とする請求項１から請求項１５のいずれか１項に記載の消費電力制御装置。
【請求項１９】
請求項１に記載の消費電力制御装置を備えることを特徴とする時計装置。
【請求項２０】
請求項１に記載の消費電力制御装置を備えることを特徴とする電子機器。
【請求項２１】
一次電源部の起電力によって充電される二次電源部の出力電位差が、予め定められた閾値以下である場合、且つ、前記一次電源部の出力電位差が前記二次電源部の出力電位差以下の状態を示す非充電状態である場合に、時刻を計時する時計動作を停止する低消費電力状態に遷移させる消費電力制御手順を有することを特徴とする消費電力制御方法。
【請求項２２】
コンピュータに、
一次電源部の起電力によって充電される二次電源部の出力電位差が、予め定められた閾値以下である場合、且つ、前記一次電源部の出力電位差が前記二次電源部の出力電位差以下の状態を示す非充電状態である場合に、時刻を計時する時計動作を停止する低消費電力状態に遷移させる消費電力制御ステップを実行させるための消費電力制御プログラム。
【発明の詳細な説明】
【技術分野】
【０００１】
本発明は、消費電力制御装置、時計装置、電子機器、消費電力制御方法、及び消費電力制御プログラムに関する。
【背景技術】
【０００２】
太陽電池を備えた時計（時計装置）において、太陽電池が逆流防止ダイオードを介して二次電池と時計回路に直接接続され、定電圧保持回路が二次電池の最大充電電圧を規制する回路構成が開示されている（例えば、特許文献１の図１を参照）。
【先行技術文献】
【特許文献】
【０００３】
【特許文献１】特開昭６０−１５８７号公報
【発明の概要】
【発明が解決しようとする課題】
【０００４】
しかしながら、特許文献１に記載された時計（時計装置）では、運針を行う時刻モータの動作限界以下の電圧まで二次電池（二次電源部）が消費された場合であっても、時刻モータを駆動させる動作（時計動作）は継続される。そのため、この時計では、二次電池が過放電状態になる。一旦、二次電池が過放電状態になってしまうと、太陽電池（一次電源部）による発電が開始された場合でも、すぐに時刻モータによる運針ができないという問題があった。これは、二次電池が、時刻モータの動作可能な電圧まで充電されるのに、時間がかかるからである。このため、使用者は、二次電池が時刻モータの動作可能な電圧まで十分に充電されるまでの間、待たなければならず、利便性が悪い。
また、この利便性の悪さを回避するために、太陽電池によって二次電池に充電する動作と、時刻モータによる運針動作（時刻を計時する時計動作）とを時分割して制御する時計が知られている。しかしながら、この時計は、二次電池が過放電の状態であってもすぐにモータ運針を可能にするものであって、本発明が解決しようとしている充電待ちによる利便性低下を改善するものではない。むしろ、二次電池への充電と時刻モータによる運針動作を時分割したことで充電効率が低下することによって、十分に充電されるまでの時間が逆に延長されてしまい、利便性が悪化するものである。
【０００５】
本発明は、上記問題を解決すべくなされたもので、その目的は、時分割制御を行わずに、太陽電池（一次電源部）による発電が開始された場合に、すぐに動作を行うことができる消費電力制御装置、時計装置、電子機器、消費電力制御方法、及び消費電力制御プログラムを提供することにある。
【課題を解決するための手段】
【０００６】
上記問題を解決するために、本発明の一態様は、一次電源部の起電力によって充電される二次電源部の出力電位差が、予め定められた閾値以下である場合、且つ、前記一次電源部の出力電位差が前記二次電源部の出力電位差以下の状態を示す非充電状態である場合に、時刻を計時する時計動作を停止する低消費電力状態に遷移させる消費電力制御部を備えることを特徴とする消費電力制御装置である。
【０００７】
また、本発明の一態様は、上記の消費電力制御装置において、前記一次電源部の出力電位差と前記二次電源部の出力電位差とを比較し、前記一次電源部の出力電位差が前記二次電源部の出力電位差以下である非充電状態の場合に、該非充電状態であることを示す充電検出信号を生成する充電検出部と、前記生成された充電検出信号の振動を防止する振動防止部と、を備え、前記消費電力制御部による低消費電力状態への遷移は、前記生成された充電検出信号に基づいて行われることを特徴とする。
【０００８】
また、本発明の一態様は、上記の消費電力制御装置において、前記振動防止部は、予め定められた負荷を有し、前記消費電力制御部は、前記充電検出信号が前記非充電状態を示す場合、前記一次電源部に前記負荷を接続させることを特徴とする。
【０００９】
また、本発明の一態様は、上記の消費電力制御装置において、前記消費電力制御部は、前記低消費電力状態にある場合に、前記非充電状態であるか否かを判定し、前記非充電状態でない場合に、前記低消費電力状態から前記時計動作を行う時計動作状態に遷移させることを特徴とする。
【００１０】
また、本発明の一態様は、上記の消費電力制御装置において、前記閾値は、前記時計動作が可能な下限電位差より予め定められた電位差分大きい値であることを特徴とする。
【００１１】
また、本発明の一態様は、上記の消費電力制御装置において、前記時計装置は、前記時計動作を制御する時計制御部を備え、前記消費電力制御部は、前記低消費電力状態に遷移させる場合に、前記時計制御部に前記時計動作を停止させることを特徴とする。
【００１２】
また、本発明の一態様は、上記の消費電力制御装置において、前記時計装置は、時刻の計時に用いる基本クロック信号を発振して生成する発振制御部を備え、前記消費電力制御部は、前記低消費電力状態に遷移させる場合に、前記発振制御部に前記基本クロック信号の発振を停止させることを特徴とする。
【００１３】
また、本発明の一態様は、上記の消費電力制御装置において、前記発振制御部は、定電圧回路部を備え、前記低消費電力状態にある場合、前記定電圧回路部の動作を停止することを特徴とする。
【００１４】
また、本発明の一態様は、上記の消費電力制御装置において、前記消費電力制御部は、前記低消費電力状態に遷移させる場合に、前記時計制御部に前記時計動作を停止させた後に、前記発振制御部に前記基本クロック信号の発振を停止させ、前記低消費電力状態から前記時計動作状態に遷移させる場合に、前記発振制御部に前記基本クロック信号の発振を開始させた後に、前記時計制御部に前記時計動作を開始させることを特徴とする。
【００１５】
また、本発明の一態様は、上記の消費電力制御装置において、前記時計動作には、時刻を表示する前記時計装置の針を運針する時刻モータを駆動する動作が含まれ、前記閾値は、前記時刻モータを駆動可能な下限電位差より予め定められた電位差分大きい値であり、前記計時制御部は、前記低消費電力状態に遷移する場合に、前記時刻モータの駆動を停止することを特徴とする。
【００１６】
また、本発明の一態様は、上記の消費電力制御装置において、前記消費電力制御装置は、前記二次電源部の出力電位差が前記閾値以下である状態を検出する出力検出部と、前記非充電状態を検出する充電検出部とを備え、前記消費電力制御部は、前記出力検出部による検出結果に基づいて、前記二次電源部の出力電位差が前記閾値以下であるか否かを判定し、前記充電検出部による検出結果に基づいて、非充電状態であるか否かを判定することを特徴とする。
【００１７】
また、本発明の一態様は、上記の消費電力制御装置において、前記消費電力制御装置は、前記二次電源部の出力電位差が予め定められた閾値以下であるか否かを検出する検出部を備え、前記消費電力制御部は、前記非充電状態である場合、且つ、前記検出部によって検出された検出結果が予め定められた閾値以下である場合に、前記低消費電力状態に遷移させ、前記非充電状態でない場合に、前記低消費電力状態を解除させることを特徴とする。
【００１８】
また、本発明の一態様は、上記の消費電力制御装置において、前記充電検出部の出力が前記非充電状態を示す場合に、前記二次電源部から前記一次電源部に電流が逆流することを防止するスイッチ部を備え、 前記振動防止部は、前記二次電源部の陽極端子と前記一次電源部の陽極端子との間、又は前記二次電源部の陰極端子と前記一次電源部の陰極端子との間に、前記非充電状態でない場合に順方向バイアスになる向きに前記スイッチ部と直列に配置され、前記充電検出部において比較を行う２つの入力端子間に予め定められた所定の電位差を生成するダイオード素子を含むことを特徴とする。
【００１９】
また、本発明の一態様は、上記の消費電力制御装置において、前記振動防止部は、前記二次電源部の陽極端子と前記一次電源部の陽極端子との間、又は前記二次電源部の陰極端子と前記一次電源部の陰極端子との間に、前記スイッチ部と直列に配置され、前記充電検出部において比較を行う２つの入力端子間に予め定められた所定の電位差を生成する抵抗素子を含むことを特徴とする。
【００２０】
また、本発明の一態様は、上記の消費電力制御装置において、前記振動防止部は、予め定められた所定の周波数以上のパルス信号を前記充電検出部の出力から除去するローパスフィルタを含むことを特徴とする。
【００２１】
また、本発明の一態様は、上記の消費電力制御装置において、前記振動防止部は、予め定められた所定の周期のクロック信号によって動作し、前記周期に基づいた所定のパルス幅以下のパルス信号を、前記充電検出部の出力から除去する論理回路を含むことを特徴とする。
【００２２】
また、本発明の一態様は、上記の消費電力制御装置において、前記論理回路は、前記充電検出部の出力が前記非充電状態を示す場合にリセット状態を保持し、前記クロック信号がクロック端子に供給され、入力端子が論理ハイ状態に固定されたシフトレジスタを備え、前記シフトレジスタの出力が、前記振動防止部の出力であることを特徴とする。
【００２３】
また、本発明の一態様は、上記の消費電力制御装置において、前記クロック信号は、前記一次電源部から供給される電力により生成されることを特徴とする。
【００２４】
また、本発明の一態様は、上記の消費電力制御装置において、前記消費電力制御部は、前記低消費電力状態にある場合に、前記低消費電力状態に遷移させると判定した場合、前記負荷の前記一次電源部への接続を解除することを特徴とする。
【００２５】
また、本発明の一態様は、上記の消費電力制御装置において、前記第１の負荷部は、前記一次電源部に前記予め定められた負荷を接続するスイッチ部を備えることを特徴とする。
【００２６】
また、本発明の一態様は、上記の消費電力制御装置において、前記起電力によって充電される二次電源部と、前記二次電源部の出力電位差が予め定められた閾値以下であるか否かを検出する検出部とを備え、前記消費電力制御部は、前記検出部によって検出された検出結果が予め定められた閾値以下である場合に、前記低消費電力状態に遷移させ、前記予め定められた負荷は、前記二次電源部の出力電位差が前記予め定められた閾値と等しく、且つ低消費電力状態が解除されている場合において、前記第２の負荷部の消費電力より大きい電力を消費する負荷であることを特徴とする。
【００２７】
また、本発明の一態様は、上記の消費電力制御装置において、前記一次電源部は、太陽電池であり、前記予め定められた負荷は、前記太陽電池において起電力を生成するパネルに照射される光の照度と前記起電力との関係に基づいて定められることを特徴とする。
【００２８】
また、本発明の一態様は、上記の消費電力制御装置において、時計動作を制御する時計制御部を備え、前記時計制御部は、負荷を備え、前記消費電力制御部は、前記充電検出信号が前記非充電状態を示す場合、前記時計制御部が備える負荷を前記一次電源部に接続させることを特徴とすることを特徴とする。
【００２９】
また、本発明の一態様は、上記の消費電力制御装置において、前記一次電源部は、光により起電力を生成する太陽電池であることを特徴とする。
【００３０】
また、本発明の一態様は、上記の消費電力制御装置を備えることを特徴とする時計装置である。
【００３１】
また、本発明の一態様は、上記の消費電力制御装置を備えることを特徴とする電子機器である。
【００３２】
また、本発明の一態様は、一次電源部の起電力によって充電される二次電源部の出力電位差が、予め定められた閾値以下である場合、且つ、前記一次電源部の出力電位差が前記二次電源部の出力電位差以下の状態を示す非充電状態である場合に、時刻を計時する時計動作を停止する低消費電力状態に遷移させる消費電力制御手順を有することを特徴とする消費電力制御方法である。
【００３３】
また、本発明の一態様は、コンピュータに、一次電源部の起電力によって充電される二次電源部の出力電位差が、予め定められた閾値以下である場合、且つ、前記一次電源部の出力電位差が前記二次電源部の出力電位差以下の状態を示す非充電状態である場合に、時刻を計時する時計動作を停止する低消費電力状態に遷移させる消費電力制御ステップを実行させるための消費電力制御プログラムである。
【発明の効果】
【００３４】
本発明によれば、消費電力制御部が、二次電源部の出力電位差が、予め定められた閾値以下である場合、且つ、一次電源部の出力電位差が二次電源部の出力電位差以下の状態を示す非充電状態である場合に、時刻を計時する時計動作を停止する低消費電力状態に遷移させる。これにより、低消費電力状態における時計装置の消費電力を低減し、二次電源部の電力消費を低減することができる。また、本発明における時計装置では、一次電源部によって二次電源部に充電する動作と、時刻を計時する時計動作とを時分割して制御する必要がない。
従って、本発明における時計装置では、時分割制御を行わずに、一次電源部による発電が開始された場合に、すぐに時計動作を行うことができる。
【図面の簡単な説明】
【００３５】
【図１】第１の実施形態による時計装置を示す概略ブロック図である。
【図２】第１の実施形態における充電検出逆流防止部の一形態を示す概略ブロック図である。
【図３】第１の実施形態における発振制御部の一形態を示す概略ブロック図である。
【図４】第１の実施形態における消費電力制御処理を示すフローチャートである。
【図５】第１の実施形態における消費電力制御の動作の一例を示すタイミングチャートである。
【図６】第２の実施形態による時計装置を示す概略ブロック図である。
【図７】第２の実施形態における時計装置の動作を示すフローチャートである。
【図８】第３の実施形態による時計装置を示す概略ブロック図である。
【図９】第４の実施形態による時計装置を示す概略ブロック図である。
【図１０】第５の実施形態による時計を示す概略ブロック図である。
【図１１】第５の実施形態におけるチャタリング防止部を示す概略ブロック図である。
【図１２】第５の実施形態におけるチャタリング防止部の動作を示すタイミングチャートである。
【図１３】第６の実施形態による時計装置を示す概略ブロック図である。
【図１４】第６の実施形態における電源制御処理を示すフローチャートである。
【図１５】第７の実施形態による時計装置の構成を示す概略ブロック図である。
【図１６】モータ駆動回路の回路図の一例である。
【図１７】第７の実施形態におけるモータの構成を示す概略図である。
【図１８】制動状態における各スイッチの状態と、そのときのモータのロータの回転方向を説明するための図である。
【図１９】第１の駆動状態における各スイッチの状態と、そのときのモータのロータの回転方向を説明するための図である。
【図２０】第１の誘起電圧検出状態の各スイッチの状態と、そのときのモータのロータの回転方向を説明するための図である。
【図２１】第２の駆動状態における各スイッチの状態と、そのときのモータのロータの回転方向を説明するための図である。
【図２２】第２の誘起電圧検出状態の各スイッチの状態と、そのときのモータのロータの回転方向を説明するための図である。
【図２３】消費電力制御部により低消費電力状態に設定された場合の各スイッチの状態を説明するための図である。
【図２４】第７の実施形態における通常動作時の時計における時計制御部の処理の流れを示したフローチャートである。
【発明を実施するための形態】
【００３６】
＜第１の実施形態＞
以下、本発明の第１の実施形態による電子装置（例えば、時計装置）について図面を参照して説明する。
図１は、第１の実施形態による時計装置１００を示す概略ブロック図である。
この図において、時計装置（以下、時計という）１００は、太陽電池１、二次電池２、発振制御部３、水晶発振子４、時計制御部（時計モータ駆動制御部）５、時刻モータ６、スイッチ７、及び消費電力制御装置２０を備える。時計１００は、例えば、アナログ表示時計である。また、消費電力制御装置２０は、電池電圧検出部８、充電検出逆流防止部（充電検出部）９、及び消費電力制御部１０を備える。
【００３７】
太陽電池１（一次電源部）は、陽極端子が電源線ＶＤＤに接続され、陰極端子が電源線ＳＶＳＳに接続される。また、太陽電池１の陰極端子は、充電検出逆流防止部９に接続される。太陽電池１は、光により起電力を生成する。太陽電池１は、充電検出逆流防止部９を通じて二次電池２を充電する。また、太陽電池１は、電源線ＶＤＤを通じて時計１００の各部に電力を供給する。なお、ここで電源線ＶＤＤはＶＤＤアースであり、時計１００全体の基準電位を示す。
【００３８】
二次電池２（二次電源部）は、陽極端子が電源線ＶＤＤに接続され、陰極端子が電源線ＶＳＳに接続される。また、二次電池２の陰極端子は、充電検出逆流防止部９に接続される。二次電池２は、充電検出逆流防止部９を通じて太陽電池の起電力によって充電される。また、二次電池２は、電源線ＶＤＤを通じて時計１００の各部に電力を供給する。
【００３９】
発振制御部３は、水晶発振子４と接続され、時刻の計時に用いる基本クロック信号を発振して生成する。発振制御部３は、消費電力制御部１０から供給される定電圧ＯＮ（オン）／ＯＦＦ（オフ）信号に基づいて、基本クロック信号の発振動作の制御を行う。ここでは、例えば、定電圧ＯＮ／ＯＦＦ信号がＨ（ハイ）状態である場合に、発振制御部３は、基本クロック信号の発振を停止する。また、例えば、定電圧ＯＮ／ＯＦＦ信号がＬ（ロウ）状態である場合に、発振制御部３は、基本クロック信号の発振を行う。
【００４０】
発振制御部３は、生成した基本クロック信号を時計制御部５に供給する。発振制御部３によって生成される基本クロック信号の周波数は、例えば、３２．７６８ｋＨｚ（キロヘルツ）である。
水晶発振子４は、発振制御部３に接続され、基本クロック信号の発振に使用される。
【００４１】
時計制御部５は、発振制御部３から供給された基本クロック信号に基づいて、時刻を計時する時計動作を制御する。この時計動作には、時刻を表示する時計１００の針を運針する時刻モータ６を駆動する動作が含まれる。つまり、時計制御部５は、時刻モータ６と接続され、時刻モータ６の駆動を制御する。時計制御部５は、消費電力制御部１０から供給される低消費モード信号に基づいて時刻モータ６の駆動を停止、又は開始する。ここでは、例えば、低消費モード信号がＨ状態である場合に、時計制御部５は、時刻モータ６の駆動を停止する。また、例えば、低消費モード信号がＬ（ロウ）状態である場合に、時計制御部５は、時刻モータ６の駆動を行う。
また、時計制御部５は、スイッチ７の一端と接続され、スイッチ７の状態により、時刻モータ６の駆動を停止、又は開始する。
【００４２】
時刻モータ６は、時計制御部５から供給される駆動信号に基づいて、時計１００の針を運針する。
スイッチ７は、一端の端子が時計制御部５に接続され、他端の端子が電源線ＶＤＤに接続される。スイッチ７は、時計１００のリュウズスイッチである。リュウズが時計１００から引き出された場合に、スイッチ７は、例えば、導通状態になり、リュウズが時計１００に押し込まれた場合に、スイッチ７は、例えば、遮断状態になる。時計１００は、リュウズが引き出された場合、針の運針を停止し、時刻合わせを行うことができる状態になる。つまり、スイッチ７が導通状態にある場合、時計制御部５は、時刻モータ６の駆動を停止させる。
【００４３】
電池電圧検出部８（出力検出部）は、消費電力制御部１０から供給される検出サンプリング信号をトリガとして、二次電池２の出力電圧（出力電位差）を検出する。電池電圧検出部８は、二次電池２の出力電圧（出力電位差）が予め定められた閾値未満である状態を検出すると、検出結果として低消費モード検出信号を消費電力制御部１０に出力する。ここで、低消費モード検出信号は、二次電池２の出力電圧が予め定められた閾値未満である場合に、例えば、Ｈ状態になり、二次電池２の出力電圧が予め定められた閾値以上である場合に、例えば、Ｌ状態になる。
【００４４】
また、予め定められた閾値は、時刻モータ６を駆動可能な下限電圧（下限電位差）より予め定められた電圧分（電位差分）大きい値である。例えば、時刻モータ６の駆動可能な下限電圧が、１．０Ｖ（ボルト）である。この場合、予め定められた閾値は、例えば、時刻モータ６の駆動可能な下限電圧より１０％大きい値である１．１Ｖとしてもよい。
【００４５】
充電検出逆流防止部９（充電検出部）は、太陽電池１の出力電圧（出力電位差）が二次電池２の出力電圧（出力電位差）以下の状態を示す非充電状態を検出する。充電検出逆流防止部９は、非充電状態を検出した場合、検出結果として、充電検出信号を消費電力制御部１０に出力する。ここで、充電検出信号は、非充電状態である場合に、例えば、Ｌ状態になる。また、充電検出信号は、太陽電池１の出力電圧が二次電池２の出力電圧より大きい状態を示す充電状態である場合に、例えば、Ｈ状態になる。
【００４６】
また、充電検出逆流防止部９は、非充電状態である場合に、太陽電池１の陰極端子に接続された電源線ＳＶＳＳと二次電池２の陰極端子に接続された電源線ＶＳＳとの間の導通を遮断する。これにより、充電検出逆流防止部９は、二次電池２から太陽電池１に電流が逆流するのを防止する。
【００４７】
消費電力制御部１０は、電池電圧検出部８による検出結果（低消費モード検出信号）に基づいて、二次電池２の出力電圧（出力電位差）が上述の予め定められた閾値未満であるか否かを判定する。また、消費電力制御部１０は、充電検出逆流防止部９による検出結果（充電検出信号）に基づいて、太陽電池１の出力電圧（出力電位差）が二次電池２の出力電圧（出力電位差）以下の状態を示す非充電状態であるか否かを判定する。消費電力制御部１０は、二次電池２の出力電圧が予め定められた閾値未満である場合、且つ、非充電状態である場合に、時刻を計時する時計動作を停止する低消費電力状態に遷移させる。
【００４８】
ここで、低消費電力状態とは、例えば、時計制御部５が時刻モータ６の駆動を停止し、且つ、発振制御部３が基本クロック信号の出力を停止した状態である。従って、消費電力制御部１０は、低消費電力状態に遷移させる場合に、時計制御部５に時計動作（時刻モータ６による運針動作）を停止させる。また、消費電力制御部１０は、低消費電力状態に遷移させる場合に、発振制御部３に基本クロック信号の発振を停止させる。
【００４９】
また、消費電力制御部１０は、充電検出逆流防止部９による検出結果（充電検出信号）に基づいて、低消費電力状態にある場合に、非充電状態であるか否かを判定する。消費電力制御部１０は、非充電状態でない場合に、低消費電力状態から時計動作を行う通常動作状態（時計動作状態）に遷移させる。ここで、通常動作状態（時計動作状態）とは、発振制御部３が基本クロック信号を出力し、且つ、時計制御部５が時刻モータ６の駆動を行っている状態である。
【００５０】
なお、消費電力制御部１０は、二次電池２の出力電圧を検出するトリガ信号として検出サンプリング信号を電池電圧検出部８に供給する。また、消費電力制御部１０は、発振制御部３に定電圧ＯＮ／ＯＦＦ信号を供給し、時計制御部５に低消費モード信号を供給する。消費電力制御部１０は、定電圧ＯＮ／ＯＦＦ信号及び低消費モード信号により、通常動作状態から低消費電力状態に遷移させる制御、又は低消費電力状態から通常動作状態に遷移させる制御を行う。
【００５１】
図２は、第１の実施形態における充電検出逆流防止部９の一形態を示す概略ブロック図である。
この図において、充電検出逆流防止部９は、コンパレータ９１、及びＮＭＯＳスイッチ９２を備える。
【００５２】
コンパレータ９１は、入力端子の一端が太陽電池１の陰極端子に接続された電源線ＳＶＳＳに、入力端子の他端が二次電池２の陰極端子に接続された電源線ＶＳＳに、それぞれ接続される。また、コンパレータ９１の出力は、充電検出信号である。コンパレータ９１は、太陽電池１の出力電圧が二次電池２の出力電圧以下である場合（非充電状態である場合）に、充電検出信号としてＬ状態を消費電力制御部１０に出力する。また、コンパレータ９１は、太陽電池１の出力電圧が二次電池２の出力電圧より大きい場合に、充電検出信号としてＨ状態を消費電力制御部１０に出力する。
【００５３】
ＮＭＯＳスイッチ９２は、例えば、ＮＭＯＳトランジスタ（Ｎチャネル型金属酸化膜半導体電界効果トランジスタ）などのスイッチである。ＮＭＯＳスイッチ９２は、ソース端子が電源線ＶＳＳに、ドレイン端子が電源線ＳＶＳＳに、ゲート端子がコンパレータ９１の出力端子に、それぞれ接続される。ＮＭＯＳスイッチ９２は、コンパレータ９１の出力がＬ状態である場合（非充電状態である場合）に、電源線ＶＳＳと電源線ＳＶＳＳとの間を遮断する。これにより、ＮＭＯＳスイッチ９２は、二次電池２から太陽電池１に電流が逆流することを防止する。また、ＮＭＯＳスイッチ９２は、コンパレータ９１の出力がＨ状態である場合（充電状態である場合）に、電源線ＶＳＳと電源線ＳＶＳＳとの間を導通する。これにより、太陽電池１の起電力が二次電池２に充電される。
【００５４】
図３は、第１の実施形態における発振制御部３の一形態を示す概略ブロック図である。
この図において、発振制御部３は、発振定電圧回路部３１、及び発振回路部３２を備える。
【００５５】
発振定電圧回路部３１（定電圧回路部）は、電源線ＶＤＤと電源線ＶＳＳとの間の電源電圧（電位差）から基本クロック信号の発振に使用する定電圧を生成する。発振定電圧回路部３１は、例えば、二次電池２の出力電圧より低い定電圧を生成するレギュレータ回路である。発振定電圧回路部３１は、生成した定電圧を発振回路部３２に供給する。
また、発振定電圧回路部３１は、消費電力制御部１０から供給される定電圧ＯＮ／ＯＦＦ信号に基づいて、定電圧を生成する動作を停止し、発振回路部３２に定電圧の供給を停止する。すなわち、発振定電圧回路部３１は、定電圧ＯＮ／ＯＦＦ信号がＨ状態である場合（低消費電力状態にある場合）に動作を停止する。また、発振定電圧回路部３１は、定電圧ＯＮ／ＯＦＦ信号がＬ状態である場合（通常動作状態にある場合）に定電圧を生成する動作を行う。
【００５６】
発振回路部３２は、水晶発振子４と接続され、水晶発振子４を発振させて、基本クロック信号（例えば、３２．７６８ｋＨｚの信号）を生成する。発振回路部３２は、生成した基本クロック信号を時計制御部５に供給する。なお、発振回路部３２は、発振定電圧回路部３１から供給される定電圧により動作する。従って、発振定電圧回路部３１が動作を停止した場合、発振回路部３２もまた、動作を停止する。
【００５７】
次に、第１の実施形態の動作について説明する。
図４は、第１の実施形態における消費電力制御処理を示すフローチャートである。
以下、図４が示すフローチャートを用いて、時計１００の消費電力制御処理を説明する。
【００５８】
時計１００の消費電力制御処理において、まず、消費電力制御部１０は、定期イベントが発生しているか否かを判定する（ステップＳ１０１）。ここで、定期イベントとは、一定の時間間隔ごと（例えば、１秒ごと）に発生するイベントである。ステップＳ１０１において、定期イベントが発生している場合には、ステップＳ１０２の処理に進む。また、定期イベントが発生していない場合には、ステップＳ１０１の処理を繰り返す。
【００５９】
次に、ステップＳ１０２において、消費電力制御部１０は、電池電圧検出部８に二次電池２の出力電圧を検出させる。つまり、消費電力制御部１０は、定期イベントに基づいて、一定の時間間隔（期間）ごとに検出サンプリング信号を電池電圧検出部８に出力する。電池電圧検出部８は、消費電力制御部１０から供給される検出サンプリング信号をトリガとして、二次電池２の出力電圧を検出する。電池電圧検出部８は、二次電池２の出力電圧が予め定められた閾値未満である状態を検出すると、検出結果として低消費モード検出信号を消費電力制御部１０に出力する。
【００６０】
次に、消費電力制御部１０は、二次電池２の出力電圧が所定値（予め定められた閾値）未満であるか否かを判定する（ステップＳ１０３）。ステップＳ１０３において、消費電力制御部１０は、電池電圧検出部８の検出結果である低消費モード検出信号に基づいて、二次電池２の出力電圧が所定値（予め定められた閾値）未満であるか否かを判定する。ここで、低消費モード検出信号は、二次電池２の出力電圧が予め定められた閾値未満である場合に、例えば、Ｈ状態になり、二次電池２の出力電圧が予め定められた閾値以上である場合に、例えば、Ｌ状態になる。そこで、低消費モード検出信号がＨ状態である場合（二次電池２の出力電圧が予め定められた閾値未満である場合）には、ステップＳ１０４の処理に進む。また、低消費モード検出信号がＬ状態である場合（二次電池２の出力電圧が予め定められた閾値以上である場合）には、ステップＳ１０１の処理に戻る。
【００６１】
次に、ステップＳ１０４において、消費電力制御部１０は、二次電池２の充電状態を検出する。つまり、消費電力制御部１０は、充電検出逆流防止部９が検出した二次電池２の充電状態を充電検出信号により検出する。ここで、充電検出逆流防止部９は、太陽電池１の出力電圧が二次電池２の出力電圧以下の状態を示す非充電状態を検出し、検出結果として、充電検出信号を消費電力制御部１０に出力する。充電検出信号は、非充電状態である場合に、例えば、Ｌ状態になる。また、充電検出信号は、太陽電池１の出力電圧が二次電池２の出力電圧より大きい状態を示す充電状態である場合に、例えば、Ｈ状態になる。
【００６２】
次に、消費電力制御部１０は、非充電状態であるか否かを判定する（ステップＳ１０５）。つまり、消費電力制御部１０は、充電検出逆流防止部９から供給される検出結果（充電検出信号）に基づいて、太陽電池１の出力電圧が二次電池２の出力電圧以下の状態を示す非充電状態であるか否かを判定する。ステップＳ１０５において、非充電状態であると判定された場合には、ステップＳ１０６の処理に進む。また、非充電状態でない（充電状態である）と判定された場合には、ステップＳ１０１の処理に戻る。
【００６３】
次に、ステップＳ１０６において、消費電力制御部１０は、時計制御部５に時刻モータ６の駆動を停止させる。つまり、消費電力制御部１０は、時計制御部５に低消費モード信号（Ｈ状態）を供給する。時計制御部５は、消費電力制御部１０から供給された低消費モード信号（Ｈ状態）に基づいて、時刻モータ６の駆動を停止する。これにより、時刻モータ６を駆動するために消費される電力消費が低減される。
【００６４】
次に、消費電力制御部１０は、発振制御部３に基本クロック信号の発振を停止させる（ステップＳ１０７）。つまり、消費電力制御部１０は、発振制御部３に定電圧ＯＮ／ＯＦＦ信号（Ｈ状態）を供給する。発振制御部３の発振定電圧回路部３１は、消費電力制御部１０から供給された定電圧ＯＮ／ＯＦＦ信号（Ｈ状態）に基づいて、定電圧の生成動作を停止する。これにより、発振回路部３２における基本クロック信号の発振動作が停止し、基本クロック信号の発振のために消費される電力消費が低減される。
以上により、消費電力制御部１０は、時計１００を通常動作状態から低消費電力状態に遷移させる。なお、消費電力制御部１０は、低消費電力状態に遷移させる場合に、時計制御部５に時計動作（例えば、時刻モータ６による運針動作）を停止させた後に、発振制御部３に基本クロック信号の発振を停止させる。
【００６５】
次に、消費電力制御部１０は、非充電状態であるか否かを判定する（ステップＳ１０８）。つまり、消費電力制御部１０は、充電検出逆流防止部９から供給される検出結果（充電検出信号）に基づいて、太陽電池１の出力電圧が二次電池２の出力電圧以下の状態を示す非充電状態であるか否かを判定する。ステップＳ１０８において、非充電状態でない（充電状態である）と判定された場合には、ステップＳ１０９の処理に進む。また、非充電状態であると判定された場合には、ステップＳ１０８の処理を繰り返す。つまり、消費電力制御部１０は、非充電状態でない（充電状態である）と判定されるまで、低消費電力状態を保持する。
【００６６】
次に、ステップＳ１０９において、消費電力制御部１０は、発振制御部３に基本クロック信号の発振を開始させる。つまり、消費電力制御部１０は、発振制御部３に定電圧ＯＮ／ＯＦＦ信号（Ｌ状態）を供給する。発振制御部３の発振定電圧回路部３１は、消費電力制御部１０から供給された定電圧ＯＮ／ＯＦＦ信号（Ｌ状態）に基づいて、定電圧の生成動作を開始する。これにより、発振回路部３２における基本クロック信号の発振動作が開始される。
【００６７】
次に、消費電力制御部１０は、時計制御部５に時刻モータ６の駆動を開始させる（ステップＳ１１０）。つまり、ステップＳ１１０において、消費電力制御部１０は、時計制御部５に低消費モード信号（Ｌ状態）を供給する。時計制御部５は、消費電力制御部１０から供給された低消費モード信号（Ｌ状態）に基づいて、時刻モータ６の駆動を開始する。
以上により、消費電力制御部１０は、時計１００を低消費電力状態から通常動作状態に遷移させる。なお、消費電力制御部１０は、低消費電力状態から通常動作状態（時計動作状態）に遷移させる場合に、発振制御部３に基本クロック信号の発振を開始させた後に、時計制御部５に時計動作（例えば、時刻モータ６による運針動作）を開始させる。
【００６８】
次に、ステップＳ１０１の処理に戻り、ステップＳ１０１からステップＳ１１０の処理が繰り返される。
【００６９】
図５は、第１の実施形態における消費電力制御の動作の一例を示すタイミングチャートである。
次に、図５に示されるタイミングチャートを用いて時計１００における低消費電力状態と通常動作状態との間の状態遷移を説明する。
【００７０】
図５（ａ）は、二次電池２の出力電圧を示す。また、図５（ｂ）は、太陽電池１の出力電圧を示す。図５（ａ）及び（ｂ）において、横軸は、時間を示し、縦軸は、電圧を示す。
図５（ｃ）は、電池電圧検出部８が出力する低消費モード検出信号の状態を示す。また、図５（ｄ）は、充電検出逆流防止部９が出力する充電検出信号の状態を示す。また、図５（ｅ）及び（ｄ）は、消費電力制御部１０が出力する低消費モード信号及び定電圧ＯＮ／ＯＦＦ信号の状態を示す。図５（ｃ）から（ｆ）において、横軸は、時間を示し、縦軸は、論理状態（Ｌ状態／Ｈ状態）を示す。
なお、図５（ａ）から（ｆ）において、横軸の時間は、共通のタイムスケールである。また、ここで、二次電池２の充電フル電圧は、例えば、１．８Ｖであり、時刻モータ６の動作限界の電圧は、例えば、１．０Ｖである。
【００７１】
図５において、期間ＳＴ１が通常動作状態、期間ＳＴ２が低消費電力状態、期間ＳＴ３が通常動作状態をそれぞれ示す。
時刻０から時刻Ｔ１までの期間では、（ａ）の二次電池２の出力電圧が十分高く、（ｂ）の太陽電池１の出力電圧が低い状態である。そのため、（ｃ）の低消費モード検出信号がＬ状態（二次電池２の出力電圧が予め定められた閾値以上である場合）であり、（ｄ）の充電検出信号がＬ状態（非充電状態）である。また、（ｅ）の低消費モード信号がＬ状態（時刻モータ６が動作状態）であり、（ｆ）の定電圧ＯＮ／ＯＦＦ信号がＬ状態（発振定電圧回路部３１が動作状態）である。この状態において、（ａ）の二次電池２の出力電圧は、徐々に低下する。
【００７２】
時刻Ｔ１において、（ａ）の二次電池２の出力電圧は、予め定められた閾値未満になると、（ｃ）の低消費モード検出信号がＨ状態に遷移する。また、時刻Ｔ１において、（ｄ）の充電検出信号がＬ状態（非充電状態）であるため、消費電力制御部１０は、低消費電力状態に遷移させる処理を行う。つまり、消費電力制御部１０は、まず（ｅ）の低消費モード信号をＨ状態（時刻モータ６停止状態）にして、時計制御部５に時刻モータ６の駆動を停止させる（時刻Ｔ２）。次に、消費電力制御部１０は、（ｆ）の定電圧ＯＮ／ＯＦＦ信号をＨ状態（発振定電圧回路部３１停止状態）にして、発振制御部３に基本クロック信号の発振を停止させる（時刻Ｔ３）。これにより、時計１００は、低消費電力状態に遷移する。
【００７３】
低消費電力状態において、太陽電池１に光があたり、発電が開始された場合、（ｂ）の太陽電池１の出力電圧が徐々に上昇する。時刻Ｔ４において、（ｂ）の太陽電池１の出力電圧が、（ａ）の二次電池２の出力電圧を超えると、（ｄ）の充電検出信号がＨ状態（充電状態）に遷移する。これにより、消費電力制御部１０は、低消費電力状態から通常動作状態に遷移させる処理を行う。つまり、消費電力制御部１０は、まず（ｆ）の定電圧ＯＮ／ＯＦＦ信号をＬ状態（発振定電圧回路部３１動作状態）にして、発振制御部３に基本クロック信号の発振を開始させる（時刻Ｔ５）。次に、消費電力制御部１０は、（ｅ）の低消費モード信号をＬ状態（時刻モータ６動作状態）にして、時計制御部５に時刻モータ６の駆動を開始させる（時刻Ｔ６）。これにより、時計１００は、通常動作状態に遷移する。
【００７４】
また、（ａ）の二次電池２の出力電圧は、太陽電池１の出力電圧により充電され、徐々に上昇する。（ａ）の二次電池２の出力電圧が予め定められた閾値以上になると、（ｃ）の低消費モード検出信号がＬ状態に遷移する（時刻Ｔ７）。
なお、時刻Ｔ１において、電池電圧検出部８は、二次電池２の出力電圧（出力電位差）が予め定められた閾値未満である状態を検出する形態を説明したが、予め定められた閾値以下である状態を検出する形態でもよい。この場合、図４のステップＳ１０３において、消費電力制御部１０は、電池電圧検出部８の検出結果である低消費モード検出信号に基づいて、二次電池２の出力電圧が所定値（予め定められた閾値）以下であるか否かを判定する。また、時刻Ｔ７において、（ａ）の二次電池２の出力電圧が予め定められた閾値を越えた状態になると、（ｃ）の低消費モード検出信号がＬ状態に遷移する。
【００７５】
以上のように、時計１００では、消費電力制御部１０が、二次電池２の出力電圧が、予め定められた閾値未満である場合、且つ、太陽電池１の出力電圧が二次電池２の出力電圧以下の状態を示す非充電状態である場合に、時刻を計時する時計動作（時刻モータ６による運針動作）を停止する低消費電力状態に遷移させる。これにより、低消費電力状態における時計１００の消費電力を低減し、二次電池２の電力消費を低減することができる。すなわち、二次電池２が過放電状態になることを防止することができる。
また、時計１００では、太陽電池１によって二次電池２に充電する動作と、時刻を計時する時計動作（時刻モータ６による運針動作）とを時分割して制御する必要がない。
従って、時計１００では、時分割制御を行わずに、太陽電池１による発電が開始された場合に、すぐに時計動作（時刻モータ６による運針動作）を行うことができる。
【００７６】
なお、本発明の実施形態によれば、時計１００（時計装置）は、起電力を生成する太陽電池１（一次電源部）と、太陽電池１の起電力によって充電される二次電池２（二次電源部）と、二次電池２の出力電位差が、予め定められた閾値以下である場合、且つ、太陽電池１の出力電位差が二次電池２の出力電位差以下の状態を示す非充電状態である場合に、時刻を計時する時計動作（時刻モータ６による運針動作）を停止する低消費電力状態に遷移させる消費電力制御部１０とを備える。
これにより、時計１００では、時分割制御を行わずに、太陽電池１による発電が開始された場合に、すぐに時計動作（時刻モータ６による運針動作）を行うことができる。
【００７７】
また、消費電力制御部１０は、低消費電力状態にある場合に、非充電状態であるか否かを判定し、非充電状態でない場合に、低消費電力状態から時計動作を行う通常動作状態（時計動作状態）に遷移させる。
つまり、太陽電池１の出力電位差が二次電池２の出力電位差より大きくなった場合（二次電池２が充電されている場合）に、時計１００は、低消費電力状態から通常動作状態（時計動作状態）に遷移する。これにより、時計１００は、太陽電池１による発電が開始された場合に、すぐに時計動作（時刻モータ６による運針動作）を行うことができる。
【００７８】
また、上述の予め定められた閾値は、時計動作が可能な下限電位差より予め定められた電位差分大きい値（例えば、時計動作が可能な下限電位差より１０％高い値）である。
これにより、二次電池２の出力電位差が時計動作可能な下限電位差に到達する前に、時計１００は、低消費電力状態に遷移する。よって、二次電池２が過放電状態になることを防止することができる。
【００７９】
また、時計１００（時計装置）は、時計動作を制御する時計制御部５を備える。消費電力制御部１０は、低消費電力状態に遷移させる場合に、時計制御部５に時計動作（時刻モータ６による運針動作）を停止させる。
これにより、負荷の大きい時計動作（時刻モータ６による運針動作）を停止させるため、低消費電力状態における時計１００の消費電力をより低減することができる。従って、二次電池２が過放電状態になることを防止することができる。
【００８０】
また、時計１００（時計装置）は、時刻の計時に用いる基本クロック信号を発振して生成する発振制御部３を備える。消費電力制御部１０は、低消費電力状態に遷移させる場合に、発振制御部３に基本クロック信号の発振を停止させる。
これにより、低消費電力状態における時計１００の消費電力をさらに低減することができる。従って、二次電池２が過放電状態になることを防止する効果が向上する。
【００８１】
また、発振制御部３は、発振定電圧回路部３１（定電圧回路部）を備え、低消費電力状態にある場合、発振定電圧回路部３１の動作を停止する。
これにより、発振定電圧回路部３１内の基準電圧生成部（図示は省略）などの常時電力を消費する回路を停止することができる。このため、低消費電力状態における時計１００の消費電力をさらに低減することができる。従って、二次電池２が過放電状態になることを防止する効果がさらに向上する。
【００８２】
また、消費電力制御部１０は、低消費電力状態に遷移させる場合に、時計制御部５に時計動作（時刻モータ６による運針動作）を停止させた後に、発振制御部３に基本クロック信号の発振を停止させる。また、消費電力制御部１０は、低消費電力状態から通常動作状態（時計動作状態）に遷移させる場合に、発振制御部３に基本クロック信号の発振を開始させた後に、時計制御部５に時計動作（時刻モータ６による運針動作）を開始させる。
これにより、消費電力制御部１０は、時刻モータ６による運針動作を停止した後に、基本クロック信号の発振を停止させるため、基本クロック信号の発振を停止させることによる誤動作を防止することができる。また、消費電力制御部１０は、基本クロック信号の発振を停止させ、発振が安定した後に、時刻モータ６による運針動作を動作させるため、時刻モータ６による運針動作を開始する際に誤動作を防止することができる。よって、通常動作状態から低消費電力状態に遷移させる際、又は低消費電力状態から通常動作状態に遷移させる際に安全に遷移させることができる。
【００８３】
また、上述の時計動作には、時刻を表示する時計１００（時計装置）の針を運針する時刻モータ６を駆動する動作が含まれ、予め定められた閾値は、時刻モータ６を駆動可能な下限電位差より予め定められた電位差分大きい値であり、時計制御部５は、低消費電力状態に遷移する場合に、時刻モータ６の駆動を停止する。
これにより、負荷の大きい時刻モータ６による運針動作を、二次電池２の出力電位差が時刻モータ６を駆動可能な下限電位差に到達する前に停止させるため、低消費電力状態における時計１００の消費電力をより低減することができる。従って、二次電池２が過放電状態になることを防止することができる。
【００８４】
また、時計１００（時計装置）は、二次電池２（二次電源部）の出力電位差が予め定められた閾値以下である状態を検出する電池電圧検出部８（出力検出部）と、非充電状態を検出する充電検出逆流防止部９（充電検出部）とを備える。消費電力制御部１０は、電池電圧検出部８による検出結果に基づいて、二次電池２の出力電位差が予め定められた閾値未満であるか否かを判定し、充電検出逆流防止部９による検出結果に基づいて、非充電状態であるか否かを判定する。
これにより、消費電力制御部１０は、二次電池２（二次電源部）の出力電位差が予め定められた閾値以下であるか否かの判定、及び非充電状態であるか否かの判定を効率よく行うことができる。
【００８５】
なお、本発明は、上記の実施形態に限定されるものではなく、本発明の趣旨を逸脱しない範囲で変更可能である。上記の実施形態において、一次電源部に太陽電池１を用いる形態を説明したが、他の一次電源部を用いる形態でもよい。例えば、運動エネルギーを電磁誘導によって電気エネルギーに変換する発電装置を一次電源部に用いる形態でもよい。
また、上記の実施形態において、二次電源部に二次電池を用いる形態を説明したが、コンデンサを用いる形態でもよい。
【００８６】
また、上記の実施形態において、低消費電力状態は、時計制御部５が時計動作（時刻モータ６による運針動作）を停止し、且つ、発振制御部３が基本クロック信号の出力を停止する形態を説明したが、２つのいずれか一方を停止する形態でもよい。
また、上記の実施形態において、時計１００は、アナログ表示時計である形態を説明したが、デジタル表示時計に適用してもよいし、アナログ表示・デジタル表示混載時計に適用してもよい。デジタル表示がある場合、停止する時計動作は、時刻モータ６による運針動作に限定されるものではなく、液晶表示部などにデジタル時刻表示を表示する動作でもよい。
【００８７】
また、上記の実施形態において、電源線ＶＤＤが時計１００全体の基準電位を示すＶＤＤアースである形態について説明したが、電源線ＶＳＳが時計１００全体の基準電位を示すＶＳＳアースである形態でもよい。
また、上記の実施形態において、予め定められた閾値は、時刻モータ６の駆動可能な下限電圧より１０％大きい値である場合を説明したが、これに限定されるものではない。予め定められた閾値は、二次電池２の充電フル状態における出力電圧と時計動作可能な下限電圧との間に定められた閾値であれば、他の値でもよい。例えば、予め定められた閾値は、二次電池２の充電フル状態から、予め定められた時間（期間）、時計１００が継続して動作して到達する二次電池２の出力電圧としてもよい。また、予め定められた閾値は、時計１００が低消費電力状態に遷移してから時刻モータ６の駆動可能な下限電圧に到達する時間（期間）に基づいて定めてもよい。
【００８８】
＜第２の実施形態＞
続いて、第２の実施形態における電子装置（例えば、時計装置）について図面を参照して説明する。
図６は、第２の実施形態による時計装置１００ｂを示す概略ブロック図である。
時計装置（以下、時計という）１００ｂは、例えば、アナログ表示時計である。この図において、時計１００ｂは、太陽電池１、二次電池２、時計制御部５、及び消費電力制御装置２０ｂを備える。
【００８９】
消費電力制御装置２０ｂは、時計１００ｂの電力制御を行う。消費電力制御装置２０ｂは、太陽電池１の状態と二次電池２の状態とに基づいて、低消費モード信号を時計制御部５に出力する。また、消費電力制御装置２０ｂは、消費電力制御部１０、電圧検出部８、及び充電検出逆流防止部（充電検出部）９ｂを備える。
【００９０】
太陽電池１（一次電源部）は、陽極端子が電源線ＶＤＤに接続され、陰極端子が電源線ＳＶＳＳに接続される。また、太陽電池１の陰極端子は、充電検出逆流防止部９ｂに接続される。太陽電池１は、光により起電力を生成する。太陽電池１は、充電検出逆流防止部９ｂを通じて二次電池２を充電する。また、太陽電池１は、電源線ＶＤＤを通じて時計１００の各部に電力を供給する。なお、ここで電源線ＶＤＤはＶＤＤアースであり、時計１００全体の基準電位を示す。
【００９１】
二次電池２（二次電源部）は、陽極端子が電源線ＶＤＤに接続され、陰極端子が電源線ＶＳＳに接続される。また、二次電池２の陰極端子は、充電検出逆流防止部９ｂに接続される。二次電池２は、充電検出逆流防止部９ｂを通じて太陽電池の起電力によって充電される。また、二次電池２は、電源線ＶＤＤを通じて時計１００ｂの各部に電力を供給する。
【００９２】
時計制御部５は、時刻を計時する時計動作を制御する。この時計動作には、時刻を表示する時計１００の針を運針する時刻モータを駆動する動作が含まれる。時計制御部５は、消費電力制御部１０から供給される低消費モード信号に基づいて時刻モータの駆動を停止、又は開始する。具体的には、低消費モード信号がＨ（ハイ）状態である場合に、時計制御部５は、時刻モータの駆動を停止する。また、低消費モード信号がＬ（ロウ）状態である場合に、時計制御部５は、時刻モータの駆動を行う。
【００９３】
消費電力制御部１０は、電圧検出部８による検出結果に基づいて、二次電池２の出力電圧（出力電位差）が予め定められた閾値以下であるか否かを判定する。また、消費電力制御部１０は、充電検出逆流防止部９ｂによる検出結果（充電検出信号）に基づいて、太陽電池１の出力電圧（出力電位差）が二次電池２の出力電圧（出力電位差）以下の状態を示す非充電状態であるか否かを判定する。消費電力制御部１０は、非充電状態である場合、且つ、二次電池２の出力電圧が予め定められた閾値以下である場合に、低消費モード信号にＨ状態を出力する。これにより、消費電力制御部１０は、時刻を計時する時計動作を停止する低消費電力状態に時計制御部５を遷移させる。つまり、消費電力制御部１０は、非充電状態である場合に、負荷部（ここでは、時計制御部５及び時刻モータ）による消費電力を低減させる。
【００９４】
また、消費電力制御部１０は、充電検出逆流防止部９ｂによる検出結果（充電検出信号）に基づいて、低消費電力状態にある場合に、非充電状態であるか否かを判定する。消費電力制御部１０は、非充電状態でない場合に、低消費モード信号にＬ状態を出力する。これにより、消費電力制御部１０は、低消費電力状態から時計動作を行う通常動作状態（時計動作状態）に時計制御部５を遷移させる。ここで、通常動作状態（時計動作状態）とは、時計制御部５が時刻モータの駆動を行っている状態である。すなわち、消費電力制御部１０は、非充電状態でない場合に、時計制御部５に低消費電力状態を解除させる。
なお、消費電力制御部１０は、二次電池２の出力電圧を検出するトリガ信号として検出サンプリング信号を電圧検出部８に供給する。
【００９５】
電圧検出部８（検出部）は、消費電力制御部１０から供給された検出サンプリング信号をトリガ信号として、二次電池２の出力電圧が予め定められた閾値以下であるか否かを検出する。電圧検出部８は、二次電池２の出力電圧が予め定められた閾値以下である状態（低電圧状態）を検出すると、検出結果として低電圧検出信号を消費電力制御部１０に出力する。具体的には、低電圧検出信号は、二次電池２の出力電圧が予め定められた閾値以下である場合に、Ｈ状態になり、二次電池２の出力電圧が予め定められた閾値より大きい場合に、Ｌ状態になる。
【００９６】
なお、予め定められた閾値は、例えば、時刻モータを駆動可能な下限電圧より予め定められた電圧分大きい値である。また、予め定められた閾値は、過放電状態である場合における二次電池２の出力電圧より大きい値である。ここで、過放電状態とは、例えば、時刻モータの動作限界以下の電圧まで二次電池２が消費され、太陽電池１の起電力によって充電が行われた場合でも、二次電池２がすぐに時刻モータが動作可能な電圧に回復しない状態である。
【００９７】
充電検出逆流防止部９ｂは、太陽電池１の出力電圧が二次電池２の出力電圧以下の状態を示す非充電状態を検出する。充電検出逆流防止部９ｂは、非充電状態を検出した場合、検出結果として、充電検出信号を消費電力制御部１０に出力する。具体的には、充電検出信号は、非充電状態である場合に、Ｌ状態である。また、充電検出信号は、太陽電池１の出力電圧が二次電池２の出力電圧より大きい状態を示す充電状態である場合に、Ｈ状態である。
【００９８】
また、充電検出逆流防止部９ｂは、非充電状態である場合に、太陽電池１の陰極端子に接続された電源線ＳＶＳＳと二次電池２の陰極端子に接続された電源線ＶＳＳとの間の導通を遮断する。これにより、充電検出逆流防止部９ｂは、二次電池２から太陽電池１に電流が逆流するのを防止する。
【００９９】
また、充電検出逆流防止部９ｂは、コンパレータ部９１、ＮＭＯＳスイッチ９２、及びチャタリング防止部１１ｂを備える。また、不図示の振動防止部は、チャタリング防止部１１ｂを備える。
【０１００】
コンパレータ部９１は、入力端子の一端が太陽電池１の陰極端子に接続された電源線ＳＶＳＳに、入力端子の他端が二次電池２の陰極端子に接続された電源線ＶＳＳに、それぞれ接続される。また、コンパレータ部９１の出力は、充電検出信号である。コンパレータ部９１は、太陽電池１の出力電圧と二次電池２の出力電圧とを比較し、太陽電池１の出力電圧が二次電池２の出力電圧以下である非充電状態の場合に、非充電状態であることを示す出力（充電検出信号）をする。コンパレータ部９１は、太陽電池１の出力電圧が二次電池２の出力電圧以下である場合（非充電状態である場合）に、充電検出信号としてＬ状態を消費電力制御部１０に出力する。また、コンパレータ部９１は、太陽電池１の出力電圧が二次電池２の出力電圧より大きい場合（充電状態である場合）に、充電検出信号としてＨ状態を消費電力制御部１０に出力する。
【０１０１】
ＮＭＯＳスイッチ９２（スイッチ部）は、例えば、ＮＭＯＳトランジスタ（Ｎチャネル型金属酸化膜半導体電界効果トランジスタ）などのスイッチである。ＮＭＯＳスイッチ９２は、ソース端子がダイオード素子６３のカソード端子に、ドレイン端子が電源線ＳＶＳＳに、ゲート端子がコンパレータ部９１の出力端子に、それぞれ接続される。なお、ダイオード素子６３のカソード端子は、電源線ＶＳＳに接続される。ＮＭＯＳスイッチ９２は、コンパレータ部９１の出力がＬ状態である場合（非充電状態である場合）に、電源線ＶＳＳと電源線ＳＶＳＳとの間を遮断する。これにより、ＮＭＯＳスイッチ９２は、二次電池２から太陽電池１に電流が逆流することを防止する。また、ＮＭＯＳスイッチ９２は、コンパレータ部９１の出力がＨ状態である場合（充電状態である場合）に、電源線ＶＳＳと電源線ＳＶＳＳとの間を導通する。これにより、太陽電池１の起電力が二次電池２に充電される。
【０１０２】
チャタリング防止部１１ｂは、コンパレータ部９１による比較の際に、コンパレータ部９１の出力に発生するチャタリングを防止する。このチャタリングは、太陽電池１の出力電圧と二次電池２の出力電圧とが近い電圧にある場合に、比較される２つの入力電位が近い値になるため、コンパレータ部９１の出力が振動する現象である。なお、本実施形態において、チャタリング防止部１１ｂは、ダイオード素子６３である。
【０１０３】
ダイオード素子６３は、アノード端子が電源線ＶＳＳに、カソード端子がＮＭＯＳスイッチ９２のソース端子にそれぞれ接続される。つまり、ダイオード素子６３は、二次電池２の陰極端子と太陽電池１の陰極端子との間に、非充電状態でない場合（ＮＭＯＳスイッチ９２が導通している場合）に順方向バイアスになる向きにＮＭＯＳスイッチ９２と直列に配置される。また、ダイオード素子６３は、コンパレータ部９１において比較を行う２つの入力端子間（二次電池２の陰極端子と太陽電池１の陰極端子との間）に予め定められた所定の電位差を生成する。ここで、予め定められた所定の電位差とは、ダイオード素子６３の順方向降下電圧（ＶＦ）のことである。また、予め定められた所定の電位差は、コンパレータ部９１の出力にチャタリングが発生する電位差に応じて適宜設定される。ここでは、予め定められた所定の電位差は、例えば、０．３Ｖ（ボルト）である。
【０１０４】
次に、本実施形態の動作について説明する。
まず、チャタリング防止部１１ｂ（ダイオード素子６３）が、チャタリングを防止する動作について説明する。
【０１０５】
図６において、太陽電池１の出力電圧が二次電池２の出力電圧より大きい充電状態である場合、コンパレータ部９１は、充電検出信号にＨ状態を出力する。これにより、ＮＭＯＳスイッチ９２が導通状態になり、二次電池２の陰極端子（電源線ＶＳＳ）から太陽電池１の陰極端子（電源線ＳＶＳＳ）に、ダイオード素子６３とＮＭＯＳスイッチ９２とを経由して電流が流れる。ダイオード素子６３に電流が流れると、その両端に順方向降下電圧（ＶＦ）による電位差が生じる。そのため、コンパレータ部９１によって比較される２つの入力電位（電源線ＶＳＳの電位と電源線ＳＶＳＳの電位）に、ダイオード素子６３の順方向降下電圧（ＶＦ）分の電位差が生じる。
コンパレータ部９１は、比較される２つの入力電位が近い値である場合に、チャタリングを発生するが、比較される２つの入力電位にダイオード素子６３の順方向降下電圧（ＶＦ）分の電位差が生じるため、チャタリングの発生を防止することができる。
【０１０６】
つまり、チャタリング防止部１１ｂ（ダイオード素子６３）は、充電状態から非充電状態に遷移する際に、充電検出逆流防止部９ｂの出力信号（充電検出信号）に発生するチャタリングを除去することができる。
【０１０７】
次に、図７が示すフローチャートを用いて、時計１００ｂ及び消費電力制御装置２０ｂにおける消費電力制御処理を説明する。
図７は、本実施形態における消費電力制御処理を示すフローチャートである。
時計１００ｂ及び消費電力制御装置２０ｂの消費電力制御処理において、まず、消費電力制御部１０は、低消費電力状態か否かを判定する（ステップＳ２０１）。ステップＳ２０１において、消費電力制御部１０は、低消費電力状態である場合には、ステップＳ２０４の処理に進み、低消費電力状態でない場合（通常動作状態である場合）には、ステップＳ２０２の処理に進む。
【０１０８】
次に、ステップＳ２０２において、消費電力制御部１０は、電圧検出部８による検出結果に基づいて、二次電池２の出力電圧が予め定められた閾値以下であるか否かを判定する。また、ステップＳ２０２において、消費電力制御部１０は、二次電池２の出力電圧が予め定められた閾値以下である場合（低電圧状態である場合）には、ステップＳ２０４の処理に進み、二次電池２の出力電圧が予め定められた閾値より大きい場合には、ステップＳ２０３の処理に進む。
【０１０９】
次に、ステップＳ２０３において、消費電力制御部１０は、時計制御部５に通常動作状態を維持させる（又は、低消費モード信号をＬ状態にして、時計制御部５に低消費電力状態を解除させて通常動作状態に遷移させる）。ステップＳ２０３の処理の後、消費電力制御処理を終了する。
【０１１０】
一方、ステップＳ２０４において、消費電力制御部１０は、充電検出逆流防止部６による検出結果（充電検出信号）に基づいて、非充電状態であるか否かを判定する。また、ステップＳ２０４において、消費電力制御部１０は、非充電状態である場合に、ステップＳ２０５の処理に進み、非充電状態でない（充電状態である）場合には、ステップＳ２０３の処理に進む。
【０１１１】
次に、ステップＳ２０５において、消費電力制御部１０は、低消費モード信号をＨ状態にして、時計制御部５に通常動作状態から低消費電力状態に遷移させる（又は、低消費電力状態を維持させる）。ステップＳ２０５の処理の後、消費電力制御処理を終了する。
なお、このステップＳ３０１からステップＳ２０５の消費電力制御処理は、消費電力制御装置２０ｂにおいて、繰り返し行われる。
【０１１２】
なお、ステップＳ３０４において、充電検出逆流防止部９ｂは、チャタリング防止部１１ｂ（ダイオード素子６３）によって、チャタリングを除去した充電検出信号を消費電力制御部１０に出力する。
【０１１３】
以上のように、時計１００ｂ及び消費電力制御装置２０ｂでは、コンパレータ部９１が、太陽電池１の出力電圧と二次電池２の出力電圧とを比較し、太陽電池１の出力電圧が二次電池２の出力電圧以下であることを示す非充電状態であるか否かを、充電検出信号として出力する。ＮＭＯＳスイッチ９２は、コンパレータ部９１の出力（充電検出信号）が非充電状態を示す場合に、二次電池２から太陽電池１に電流が逆流することを防止する。チャタリング防止部１１ｂ（ダイオード素子６３）は、コンパレータ部９１による比較の際に、コンパレータ部９１の出力（充電検出信号）に発生するチャタリングを防止する。消費電力制御部１０は、コンパレータ部９１の出力（充電検出信号）が非充電状態を示す場合に、時計制御部５及び時刻モータによる消費電力を低減する低消費電力状態に遷移させる。
これにより、消費電力制御部１０は、コンパレータ部９１の出力（充電検出信号）に基づいて、非充電状態である場合に低消費電力状態に遷移させる。つまり、消費電力制御部１０は、二次電池２が過放電状態になる前に、低消費電力状態に遷移させる。そのため、時計１００及び消費電力制御装置２０ｂは、二次電池２が過放電状態になることを防止することができる。
【０１１４】
また、時計１００ｂ及び消費電力制御装置２０ｂは、二次電池２の出力電圧が予め定められた閾値以下であるか否かを検出する電圧検出部８（検出部）を備える。消費電力制御部１０は、電圧検出部８によって検出された検出結果が低電圧状態である場合、且つ、非充電状態である場合に、通常動作状態から低消費電力状態に遷移させる。これにより、時計１００ｂ及び消費電力制御装置２０ｂは、非充電状態である場合に、二次電池２の出力電圧が予め定められた閾値まで低下する期間、通常動作状態を維持しつつ、二次電池２が過放電状態になることを防止することができる。
【０１１５】
また、消費電力制御部１０は、非充電状態でない場合に、低消費電力状態を解除させて、通常動作状態から低消費電力状態に遷移させる。これにより、時計１００ｂ及び消費電力制御装置２０ｂは、太陽電池１による発電が開始された場合（充電状態である場合）に、すぐに時刻モータによる運針（時刻を計時する時計動作）を行うことができる。
【０１１６】
また、チャタリング防止部１１ｂは、二次電池２の陰極端子（電源線ＶＳＳ）と太陽電池１の陰極端子（電源線ＳＶＳＳ）との間に、充電状態である場合に順方向バイアスになる向きにＮＭＯＳスイッチ９２と直列に配置されるダイオード素子６３を含む。ダイオード素子６３は、コンパレータ部９１において比較を行う２つの入力端子間に予め定められた所定の電位差（ＶＦ）を生成する。これにより、コンパレータ部９１による比較の際に発生するチャタリングが、充電検出逆流防止部９ｂの出力（充電検出信号）から除去されるので、充電検出逆流防止部９ｂの誤検出が低減される。そのため、チャタリングによって無駄に低消費電力状態に遷移して動作が停止してしまうことを防止することができる。したがって、時計１００ｂ及び消費電力制御装置２０ｂは、誤検出による低消費電力状態への遷移を防止しつつ、二次電池２が過放電状態になることを防止することができる。
【０１１７】
＜第３の実施形態＞
次に、本発明の第３の実施形態おける電子装置（例えば、時計装置）について図面を参照して説明する。
図８は、第３の実施形態による時計装置１００ｃを示す概略ブロック図である。
時計装置（以下、時計という）１００ｃは、例えば、アナログ表示時計である。この図において、時計１００ｃは、太陽電池１、二次電池２、時計制御部５、及び消費電力制御装置２０ｃを備える。この図において、図６と同じ構成には同一の符号を付す。
【０１１８】
消費電力制御装置２０ｃは、時計１００ｃの電力制御を行う。消費電力制御装置２０ｃは、太陽電池１の状態と二次電池２の状態とに基づいて、低消費モード信号を時計制御部５に出力する。また、消費電力制御装置２０ｃは、消費電力制御部１０、電圧検出部８、及び充電検出逆流防止部（充電検出部）９ｃを備える。
【０１１９】
充電検出逆流防止部９ｃは、コンパレータ部９１、ＮＭＯＳスイッチ９２、及びチャタリング防止部１１ｃを備える。また、不図示の振動防止部は、チャタリング防止部１１ｃを備える。充電検出逆流防止部９ｃの構成は、図６に示される充電検出逆流防止部９ｂのチャタリング防止部１１が、チャタリング防止部１１ｃに置き換わっている点を除き同様である。
【０１２０】
チャタリング防止部１１ｃは、コンパレータ部９１による比較の際に、コンパレータ部９１の出力に発生するチャタリングを防止する。なお、チャタリング防止部１１ｃは、本実施形態において、抵抗素子６４である。そのため、ＮＭＯＳスイッチ９２は、ソース端子が抵抗素子６４の一端の端子に、ドレイン端子が電源線ＳＶＳＳに、ゲート端子がコンパレータ部９１の出力端子に、それぞれ接続される。
【０１２１】
抵抗素子６４は、一端の端子が電源線ＶＳＳに、他端の端子がＮＭＯＳスイッチ９２のソース端子にそれぞれ接続される。つまり、抵抗素子６４は、二次電池２の陰極端子と太陽電池１の陰極端子との間に、ＮＭＯＳスイッチ９２と直列に配置される。また、抵抗素子６４は、コンパレータ部９１において比較を行う２つの入力端子間（二次電池２の陰極端子と太陽電池１の陰極端子との間）に予め定められた所定の電位差を生成する。ここで、予め定められた所定の電位差とは、抵抗素子６４に電流を流した際に電圧降下によって生じる電位差のことである。また、予め定められた所定の電位差は、コンパレータ部９１の出力にチャタリングが発生する電位差に応じて、適宜設定される。また、抵抗素子６４の抵抗値は、予め定められた所定の電位差に応じて設定される。
【０１２２】
次に、本実施形態の動作について説明する。
まず、チャタリング防止部１１ｃ（抵抗素子６４）が、チャタリングを防止する動作について説明する。
【０１２３】
図８において、太陽電池１の出力電圧が二次電池２の出力電圧より大きい充電状態である場合、コンパレータ部９１は、充電検出信号にＨ状態を出力する。これにより、ＮＭＯＳスイッチ９２が導通状態になり、二次電池２の陰極端子（電源線ＶＳＳ）から太陽電池１の陰極端子（電源線ＳＶＳＳ）に、抵抗素子６４とＮＭＯＳスイッチ９２とを経由して電流が流れる。抵抗素子６４に電流が流れると、その両端に電圧降下による電位差が生じる。そのため、コンパレータ部９１によって比較される２つの入力電位（電源線ＶＳＳの電位と電源線ＳＶＳＳの電位）に、抵抗素子６４による電圧降下分の電位差が生じる。
【０１２４】
コンパレータ部９１は、比較される２つの入力電位が近い値である場合に、チャタリングを発生するが、比較される２つの入力電位に抵抗素子６４による電圧降下分の電位差が生じるため、チャタリングの発生を防止することができる。
つまり、チャタリング防止部１０（抵抗素子６４）は、充電状態から非充電状態に遷移する際に、充電検出逆流防止部６の出力信号（充電検出信号）に発生するチャタリングを除去することができる。
【０１２５】
次に、時計１００ｃ及び消費電力制御装置２０ｃにおける消費電力制御処理を説明する。
時計１００ｃ及び消費電力制御装置２０ｃの消費電力制御処理は、図６に示される第２の実施形態における時計１００ｂ及び消費電力制御装置２０ｂの消費電力制御処理と同様である。
【０１２６】
以上のように、時計１００ｃ及び消費電力制御装置２０ｃでは、コンパレータ部９１が、太陽電池１の出力電圧と二次電池２の出力電圧とを比較し、太陽電池１の出力電圧が二次電池２の出力電圧以下であることを示す非充電状態であるか否かを、充電検出信号として出力する。ＮＭＯＳスイッチ９２は、コンパレータ部９１の出力（充電検出信号）が非充電状態を示す場合に、二次電池２から太陽電池１に電流が逆流することを防止する。チャタリング防止部１１ｃ（抵抗素子６４）は、コンパレータ部９１による比較の際に、コンパレータ部９１の出力（充電検出信号）に発生するチャタリングを防止する。消費電力制御部１０は、コンパレータ部９１の出力（充電検出信号）が非充電状態を示す場合に、時計制御部５及び時刻モータによる消費電力を低減する低消費電力状態に遷移させる。
これにより、時計１００ｃ及び消費電力制御装置２０ｃは、第２の実施形態と同様に、二次電池２が過放電状態になることを防止することができる。
【０１２７】
また、チャタリング防止部１１ｃは、二次電池２の陰極端子（電源線ＶＳＳ）と太陽電池１の陰極端子（電源線ＳＶＳＳ）との間に、ＮＭＯＳスイッチ９２と直列に配置される抵抗素子６４を含む。抵抗素子６４は、コンパレータ部９１において比較を行う２つの入力端子間に予め定められた所定の電位差（電圧降下分の電位差）を生成する。これにより、コンパレータ部９１による比較の際に発生するチャタリングが、充電検出逆流防止部９ｃの出力（充電検出信号）から除去されるので、充電検出逆流防止部９ｃの誤検出が低減される。そのため、チャタリングによって無駄に低消費電力状態に遷移して動作が停止してしまうことを防止することができる。したがって、時計１００ｃ及び消費電力制御装置２０ｃは、第２の実施形態と同様に、誤検出による低消費電力状態への遷移を防止しつつ、二次電池２が過放電状態になることを防止することができる。
【０１２８】
＜第４の実施形態＞
次に、本発明の第４の実施形態おける電子装置（例えば、時計装置）について図面を参照して説明する。
図９は、第４の本実施形態による時計装置１００ｄを示す概略ブロック図である。
時計装置（以下、時計という）１００ｄは、例えば、アナログ表示時計である。この図において、時計１００ｄは、太陽電池１、二次電池２、時計制御部５、及び消費電力制御装置２０ｄを備える。この図において、図６と同じ構成には同一の符号を付す。
【０１２９】
消費電力制御装置２０ｄは、時計１００ｄの電力制御を行う。消費電力制御装置２０ｄは、太陽電池１の状態と二次電池２の状態とに基づいて、低消費モード信号を時計制御部５に出力する。また、消費電力制御装置２０ｄは、消費電力制御部１０、電圧検出部８、及び充電検出逆流防止部（充電検出部）９ｄを備える。
【０１３０】
充電検出逆流防止部９ｄは、コンパレータ部９１、ＮＭＯＳスイッチ９２、及びチャタリング防止部１１ｄを備える。また、不図示の振動防止部は、チャタリング防止部１１ｄを備える。充電検出逆流防止部９ｄの構成は、図６に示される充電検出逆流防止部６のチャタリング防止部１０が、チャタリング防止部１１ｄに置き換わっている点を除き同様である。なお、本実施形態において、ＮＭＯＳスイッチ９２は、ソース端子が電源線ＶＳＳに、ドレイン端子が電源線ＳＶＳＳに、ゲート端子がコンパレータ部９１の出力端子に、それぞれ接続される。
【０１３１】
チャタリング防止部１１ｄは、コンパレータ部９１と消費電力制御部１０との間に配置され、コンパレータ部９１による比較の際に、コンパレータ部９１の出力に発生するチャタリングを防止する。チャタリング防止部１１ｄは、予め定められた所定の周波数以上のパルス信号をコンパレータ部９１の出力から除去するローパスフィルタを含む。チャタリング防止部１１ｄは、例えば、ＲＣ（アールシー）フィルタ回路である。チャタリング防止部１１ｄは、予め定められた所定の周波数以上のパルス信号をコンパレータ部９１の出力から除去して、充電検出信号として消費電力制御部１０に出力する。
ここで、予め定められた所定の周波数とは、コンパレータ部９１の出力に発生するチャタリングの周波数より高い周波数である。
【０１３２】
また、チャタリング防止部１１ｄは、抵抗素子６５及びコンデンサ素子６６を備える。
抵抗素子６５は、一端の端子がコンパレータ部９１の出力線に、他端の端子がチャタリング防止部１１ｄの出力線に、それぞれ接続される。つまり、抵抗素子６５は、コンパレータ部９１の出力線とチャタリング防止部１１ｄの出力線との間に直列に接続される。
コンデンサ素子６６は、一端の端子がチャタリング防止部１１ｄの出力線に、他端の端子が電源線ＶＳＳに、それぞれ接続される。
【０１３３】
次に、本実施形態の動作について説明する。
まず、チャタリング防止部１１ｄが、チャタリングを防止する動作について説明する。
図９において、チャタリング防止部１１ｄは、ＲＣフィルタ回路により、コンパレータ部９１の出力から予め定められた所定の周波数以上のパルス信号をカットし、予め定められた所定の周波数より低い周波数のパルス信号を通過させる。これにより、チャタリング防止部１１ｄは、コンパレータ部９１の出力に発生したチャタリングを除去して、消費電力制御部１０に充電検出信号として出力する。消費電力制御部１０は、充電検出逆流防止部９ｄによる検出結果（充電検出信号）に基づいて、消費電力制御処理を行う。
【０１３４】
なお、チャタリング防止部１１ｄは、コンパレータ部９１の出力からチャタリングを除去するため、充電状態から非充電状態に遷移する場合と非充電状態から充電状態に遷移する場合とのいずれの場合にも、対応することができる。
【０１３５】
次に、時計１００ｄ及び消費電力制御装置２０ｄにおける消費電力制御処理を説明する。
時計１００ｄ及び消費電力制御装置２０ｄの消費電力制御処理は、図６に示される第２の実施形態における時計１００ｂ及び消費電力制御装置２０ｂの消費電力制御処理と同様である。
【０１３６】
以上のように、時計１００ｄ及び消費電力制御装置２０ｄでは、コンパレータ部９１が、太陽電池１の出力電圧と二次電池２の出力電圧とを比較し、太陽電池１の出力電圧が二次電池２の出力電圧以下であることを示す非充電状態であるか否かを、充電検出信号として出力する。ＮＭＯＳスイッチ９２は、コンパレータ部９１の出力が非充電状態を示す場合に、二次電池２から太陽電池１に電流が逆流することを防止する。チャタリング防止部１１ｄ（ＲＣフィルタ回路）は、コンパレータ部９１による比較の際に、コンパレータ部９１の出力に発生するチャタリングを防止する。消費電力制御部１０は、充電検出逆流防止部９ｄの出力（充電検出信号）が非充電状態を示す場合に、時計制御部５及び時刻モータによる消費電力を低減する低消費電力状態に遷移させる。
これにより、時計１００ｄ及び消費電力制御装置２０ｄは、第２の実施形態と同様に、二次電池２が過放電状態になることを防止することができる。
【０１３７】
また、チャタリング防止部１１ｄは、予め定められた所定の周波数以上のパルス信号をコンパレータ部９１の出力から除去するローパスフィルタ（ＲＣフィルタ回路）を含む。チャタリング防止部１１ｄは、コンパレータ部９１の出力から予め定められた所定の周波数以上のパルス信号をカットし、予め定められた所定の周波数より低い周波数のパルス信号を通過させる。これにより、コンパレータ部９１による比較の際に発生するチャタリングが、充電検出逆流防止部９ｄの出力（充電検出信号）から除去されるので、充電検出逆流防止部９ｄの誤検出が低減される。そのため、チャタリングによって無駄に低消費電力状態に遷移して動作が停止してしまうことを防止することができる。したがって、時計１００ｄ及び消費電力制御装置２０ｄは、第２の実施形態と同様に、誤検出による低消費電力状態への遷移を防止しつつ、二次電池２が過放電状態になることを防止することができる。
【０１３８】
さらに、チャタリング防止部１１ｄは、コンパレータ部９１の出力からチャタリングを除去する。このため、時計１００ｄ及び消費電力制御装置２０ｄは、充電状態から非充電状態に遷移する場合と非充電状態から充電状態に遷移する場合とのいずれの場合にも、コンパレータ部９１の出力に発生するチャタリングを除去することができる。
【０１３９】
＜第５の実施形態＞
次に、本発明の第５の実施形態おける電子装置（例えば、時計装置）について図面を参照して説明する。
図１０は、第５の実施形態による時計１００ｅを示す概略ブロック図である。
時計１００ｅは、例えば、アナログ表示時計である。この図において、時計１００ｅは、太陽電池１、二次電池２、時計制御部５、及び消費電力制御装置２０ｅを備える。この図において、図６と同じ構成には同一の符号を付す。
【０１４０】
消費電力制御装置２０ｅは、時計１００ｅの電力制御を行う。消費電力制御装置２０ｅは、太陽電池１の状態と二次電池２の状態とに基づいて、低消費モード信号を時計制御部５に出力する。また、消費電力制御装置２０ｅは、消費電力制御部１０、電圧検出部８、充電検出逆流防止部（充電検出部）９ｅ、及び発振回路部１２を備える。
【０１４１】
充電検出逆流防止部９ｅは、コンパレータ部９１、ＮＭＯＳスイッチ９２、及びチャタリング防止部１１ｅを備える。また、不図示の振動防止部は、チャタリング防止部１１ｅを備える。充電検出逆流防止部９ｅの構成は、図９に示される充電検出逆流防止部９ｄのチャタリング防止部１１ｄが、チャタリング防止部１１ｅに置き換わっている点を除き同様である。
【０１４２】
チャタリング防止部１１ｅは、コンパレータ部９１と消費電力制御部１０との間に配置され、コンパレータ部９１による比較の際に、コンパレータ部９１の出力ＣＭＰに発生するチャタリングを防止する。チャタリング防止部１１ｅは、発振回路部１２から供給される予め定められた所定の周期のクロック信号ＣＬＫによって動作するチャタリング防止回路部６７（論理回路）を含む。チャタリング防止回路部６７は、発振回路部１２から供給されるクロック信号の周期に基づいた所定のパルス幅以下のパルス信号を、コンパレータ部９１の出力ＣＭＰから除去する。チャタリング防止部１１ｅは、上述のパルス幅以下のパルス信号をコンパレータ部９１の出力から除去して、充電検出信号として消費電力制御部１０に出力する。
ここで、クロック信号ＣＬＫの周期に基づいた所定のパルス幅とは、コンパレータ部９１の出力ＣＭＰに発生するチャタリングの周期より広いパルス幅である。
【０１４３】
発振回路部１２は、太陽電池１から供給される電力によって動作し、予め定められた所定の周期（周波数）のクロック信号ＣＬＫを生成して、チャタリング防止部１１ｅ（チャタリング防止回路部６７）に供給する。
【０１４４】
図１１は、第５の実施形態におけるチャタリング防止部１１ｅ（チャタリング防止回路部６７）を示す概略ブロック図である。
この図において、チャタリング防止回路部６７は、フリップフロップ（６７１、６７２）、及びインバータ６７３を備える。
フリップフロップ６７１は、Ｄ（データ）入力端子が電源線ＶＤＤに、ＣＫ（クロック）入力端子がクロック信号ＣＬＫの信号線に、Ｒ（リセット）入力端子がインバータ６７３の出力端子に、それぞれ接続される。
フリップフロップ６７２は、Ｄ入力端子がフリップフロップ６７１のＱ（キュー）出力端子に、ＣＫ入力端子がクロック信号ＣＬＫの信号線に、Ｒ入力端子がインバータ６７３の出力端子に、それぞれ接続される。フリップフロップ６７２のＱ出力は、充電検出信号として消費電力制御部１０に出力される。
インバータ６７３は、入力端子がコンパレータ部９１の出力ＣＭＰの信号線に、出力端子がフリップフロップ６７１及び６７２のＲ入力端子に、それぞれ接続される。インバータ６７３は、コンパレータ部９１の出力ＣＭＰを論理反転した信号を出力する。
【０１４５】
なお、フリップフロップ６７１及び６７２は、コンパレータ部９１の出力ＣＭＰが非充電状態（Ｌ状態）である場合にリセット状態を保持し、入力端子がＨ状態に固定された２ビットのシフトレジスタとして機能する。つまり、チャタリング防止回路部６７は、コンパレータ部９１の出力ＣＭＰが非充電状態（Ｌ状態）である場合にリセット状態を保持する２ビットのシフトレジスタを備える。また、この２ビットのシフトレジスタは、入力端子がＨ状態に固定され、クロック信号ＣＬＫがクロック端子に供給される。２ビットのシフトレジスタは、クロック信号ＣＬＫの立ち上がりをトリガとして、フリップフロップ６７１からフリップフロップ６７２に論理状態がシフトする。２ビットのシフトレジスタは、充電検出信号を消費電力制御部１０に出力する。
また、ここで、クロック信号ＣＬＫの周期に基づいた所定のパルス幅とは、例えば、クロック信号ＣＬＫが２回の立ち上がる期間と等しいパルス幅である。
【０１４６】
次に、本実施形態の動作について説明する。
まず、チャタリング防止部１１ｅ（チャタリング防止回路部６７）が、チャタリングを防止する動作について説明する。
図１２は、第５の実施形態におけるチャタリング防止部１１ｅ（チャタリング防止回路部６７）の動作を示すタイミングチャートである。
この図において、各グラフは、縦軸が論理状態を示し、横軸が時間を示す。
【０１４７】
図１２（ａ）及び（ｂ）は、コンパレータ部９１の出力信号ＣＭＰの状態、及びインバータ６７３の出力信号（出力信号ＣＭＰの反転信号）の状態をそれぞれ示す。また、図１２（ｃ）は、クロック信号ＣＬＫの状態を示す。また、図１２（ｄ）及び（ｅ）は、フリップフロップ６７２の出力信号の状態、及びフリップフロップ６７２の出力信号（充電検出信号）の状態を示す。
なお、図１２（ａ）〜（ｅ）において、横軸の時間は、共通のタイムスケールである。
また、図１２において、期間６０１及び期間６０３は、コンパレータ部９１の出力信号ＣＭＰにチャタリングが発生している期間である。
【０１４８】
この図において、（ａ）の出力信号ＣＭＰは、初期状態がＬ状態（非充電状態）である。この状態では、（ｂ）のインバータ６７３の出力信号（出力信号ＣＭＰの反転信号）がＨ状態になるため、（ｄ）及び（ｅ）のフリップフロップ６７１及び６７２の出力は、いずれもＬ状態になる。
【０１４９】
次に、太陽電池１が発電を開始して、時刻Ｔ１において、太陽電池１の出力電圧が二次電池２の出力電圧に近づくと（ａ）の出力信号ＣＭＰにチャタリングが発生する。ここでは、時刻Ｔ１からＴ３までの期間６０１において、チャタリングが発生した場合について示す。期間６０１において、（ａ）の出力信号ＣＭＰ及び（ｂ）のインバータ６７３の出力信号は、Ｈ状態とＬ状態とが頻繁に入れ替わる。
また、期間６０２は、時刻Ｔ２において、（ｃ）のクロック信号ＣＬＫの立ち上がりによって、（ｄ）のフリップフロップ６７１の出力Ｑが変化した場合である。（ｄ）のフリップフロップ６７１の出力Ｑは、（ａ）の出力信号ＣＭＰがチャタリングによってＬ状態になった際に、再びリセットされる。
【０１５０】
次に、太陽電池１の出力電圧と二次電池２の出力電圧との差が、チャタリングが発生しないレベルに達する（時刻Ｔ３）。時刻Ｔ３において、（ａ）の出力信号ＣＭＰは、Ｈ状態になり、（ｂ）のインバータ６７３の出力信号は、Ｌ状態になる。これにより、フリップフロップ６７１及び６７２は、リセット入力端子がＬ状態になり、リセット状態の保持が解除される。
【０１５１】
次に、（ｃ）のクロック信号ＣＬＫの立ち上がりによって、（ｄ）のフリップフロップ６７１の出力ＱがＨ状態に変化する（時刻Ｔ４）。また、（ｃ）のクロック信号ＣＬＫにおいて、次の立ち上がりによって、（ｅ）のフリップフロップ６７２の出力ＱがＨ状態に変化する（時刻Ｔ５）。つまり、チャタリング防止回路部６７は、（ｃ）のクロック信号ＣＬＫが２回の立ち上がる期間、（ａ）の出力信号ＣＭＰのＨ状態が安定して保持された場合に、充電検出信号にＨ状態を出力する。すなわち、（ｃ）のクロック信号ＣＬＫが２回の立ち上がる期間より短いパルス幅を持つチャタリングは、充電検出信号から除去される。
【０１５２】
次に、太陽電池１の出力電圧が再び低下して、時刻Ｔ６において、太陽電池１の出力電圧が二次電池２の出力電圧に近づくと（ａ）の出力信号ＣＭＰにチャタリングが発生する。ここでは、時刻Ｔ６からＴ８までの期間６０３において、チャタリングが発生した場合について示す。期間６０３において、（ａ）の出力信号ＣＭＰ及び（ｂ）のインバータ６７３の出力信号は、Ｈ状態とＬ状態とが頻繁に入れ替わる。（ｂ）のインバータ６７３の出力信号がＨ状態になるタイミングにおいて、フリップフロップ６７１及び６７２にリセットがかかる（時刻Ｔ７）。これにより、（ｄ）及び（ｅ）のフリップフロップ６７１及び６７２の出力は、いずれもＬ状態になる。これにより、チャタリング防止回路部６７は、（ａ）の出力信号ＣＭＰにチャタリングが発生している間に、充電検出信号にＨ状態を出力するが、充電検出信号にチャタリングを伝達させない。つまり、チャタリング防止回路部６７は、コンパレータ部９１の出力ＣＭＰに発生するチャタリングを除去する。
【０１５３】
以上のように、時計１００ｅ及び消費電力制御装置２０ｅでは、コンパレータ部９１が、太陽電池１の出力電圧と二次電池２の出力電圧とを比較し、太陽電池１の出力電圧が二次電池２の出力電圧以下であることを示す非充電状態であるか否かを、充電検出信号として出力する。ＮＭＯＳスイッチ９２は、コンパレータ部９１の出力が非充電状態を示す場合に、二次電池２から太陽電池１に電流が逆流することを防止する。チャタリング防止部１１ｅ（チャタリング防止回路部６７）は、コンパレータ部９１による比較の際に、コンパレータ部９１の出力に発生するチャタリングを防止する。消費電力制御部１０は、充電検出逆流防止部９ｅの出力（充電検出信号）が非充電状態を示す場合に、時計制御部５及び時刻モータによる消費電力を低減する低消費電力状態に遷移させる。
これにより、時計１００ｅ及び消費電力制御装置２０ｅは、第２の実施形態と同様に、二次電池２が過放電状態になることを防止することができる。
【０１５４】
また、チャタリング防止部１１ｅは、予め定められた所定の周期のクロック信号ＣＬＫによって動作し、クロック信号ＣＬＫの周期に基づいた所定のパルス幅以下のパルス信号を、コンパレータ部９１の出力ＣＭＰから除去するチャタリング防止回路部６７（論理回路）を含む。また、チャタリング防止回路部６７は、コンパレータ部９１の出力ＣＭＰが非充電状態を示す場合にリセット状態を保持し、クロック信号ＣＬＫがクロック端子に供給され、入力端子が論理Ｈ状態に固定されたシフトレジスタを備える。
これにより、コンパレータ部９１による比較の際に発生するチャタリングが、充電検出逆流防止部９ｅの出力（充電検出信号）から除去されるので、充電検出逆流防止部９ｅの誤検出が低減される。そのため、チャタリングによって無駄に低消費電力状態に遷移して動作が停止してしまうことを防止することができる。したがって、時計１００ｅ及び消費電力制御装置２０ｅは、第２の実施形態と同様に、誤検出による低消費電力状態への遷移を防止しつつ、二次電池２が過放電状態になることを防止することができる。
【０１５５】
さらに、チャタリング防止部１１ｅは、コンパレータ部９１の出力からチャタリングを除去する。このため、時計１００ｅ及び消費電力制御装置２０ｅは、第４の実施形態と同様に、充電状態から非充電状態に遷移する場合と非充電状態から充電状態に遷移する場合とのいずれの場合にも、コンパレータ部９１の出力に発生するチャタリングを除去することができる。
【０１５６】
なお、本発明の第２の実施形態によれば、消費電力制御装置２０ｂは、起電力を生成する太陽電池１（一次電源部）の出力電位差と起電力によって充電される二次電池２（二次電源部）の出力電位差とを比較し、太陽電池１の出力電位差が二次電池２の出力電位差以下である非充電状態の場合に、非充電状態であることを示す出力をするコンパレータ部９１と、コンパレータ部９１の出力が非充電状態を示す場合に、二次電池２から太陽電池１に電流が逆流することを防止するＮＭＯＳスイッチ９２（スイッチ部）と、コンパレータ部９１による比較の際に、コンパレータ部９１の出力に発生するチャタリングを防止するチャタリング防止部１１ｂと、コンパレータ部９１の出力が非充電状態を示す場合に、時計制御部５（負荷部）による消費電力を低減する低消費電力状態に遷移させる消費電力制御部１０とを備える。
これにより、消費電力制御部１０は、二次電池２が過放電状態になる前に、低消費電力状態に遷移させる。そのため、時計１００ｂ及び消費電力制御装置２０ｂは、二次電池２が過放電状態になることを防止することができる。
【０１５７】
また、第２の実施形態における消費電力制御装置２０ｂは、二次電池２の出力電位差が予め定められた閾値以下であるか否かを検出する電圧検出部８（検出部）を備える。また、消費電力制御部１０は、非充電状態である場合、且つ、電圧検出部８によって検出された検出結果が予め定められた閾値以下である場合に、低消費電力状態に遷移させ、非充電状態でない場合に、低消費電力状態を解除させる。
これにより、消費電力制御装置２０ｂは、非充電状態である場合に、二次電池２の出力電圧が予め定められた閾値まで低下する期間、通常動作状態を維持しつつ、二次電池２が過放電状態になることを防止することができる。また、消費電力制御装置２０ｂは、太陽電池１による発電が開始された場合（充電状態である場合）に、すぐに時刻モータによる運針（時刻を計時する時計動作）を行うことができる。
【０１５８】
また、第２の実施形態におけるチャタリング防止部１１ｂは、二次電池２の陽極端子と太陽電池１の陽極端子との間、又は二次電池２の陰極端子と太陽電池１の陰極端子との間に、非充電状態でない場合（通常動作状態である場合）に順方向バイアスになる向きにＮＭＯＳスイッチ９２と直列に配置され、コンパレータ部９１において比較を行う２つの入力端子間に予め定められた所定の電位差（ＶＦ）を生成するダイオード素子６３を含む。
これにより、コンパレータ部９１による比較の際に発生するチャタリングが、充電検出逆流防止部９ｂの出力（充電検出信号）から除去される。そのため、充電検出逆流防止部９ｂの誤検出を低減することができる。したがって、消費電力制御装置２０ｂは、誤検出による低消費電力状態への遷移を防止しつつ、二次電池２の過放電状態になることを防止することができる。
【０１５９】
また、第３の実施形態におけるチャタリング防止部１１ｃは、二次電池２の陽極端子と太陽電池１の陽極端子との間、又は二次電池２の陰極端子と太陽電池１の陰極端子との間に、ＮＭＯＳスイッチ９２と直列に配置され、コンパレータ部９１において比較を行う２つの入力端子間に予め定められた所定の電位差（電圧降下分の電位差）を生成する抵抗素子６４を含む。
これにより、コンパレータ部９１による比較の際に発生するチャタリングが、充電検出逆流防止部９ｃの出力（充電検出信号）から除去される。そのため、充電検出逆流防止部９ｃの誤検出を低減することができる。したがって、消費電力制御装置２０ｃは、誤検出による低消費電力状態への遷移を防止しつつ、二次電池２の過放電状態になることを防止することができる。
【０１６０】
また、第４の実施形態におけるチャタリング防止部９ｄは、予め定められた所定の周波数以上のパルス信号をコンパレータ部９１の出力から除去するローパスフィルタ（ＲＣフィルタ回路）を含む。
これにより、コンパレータ部９１による比較の際に発生するチャタリングが、充電検出逆流防止部９ｄの出力（充電検出信号）から除去される。そのため、充電検出逆流防止部９ｄの誤検出を低減することができる。したがって、消費電力制御装置２０ｄは、誤検出による低消費電力状態への遷移を防止しつつ、二次電池２の過放電状態になることを防止することができる。さらに、消費電力制御装置２０ｄは、充電状態から非充電状態に遷移する場合と非充電状態から充電状態に遷移する場合とのいずれの場合にも、コンパレータ部９１の出力に発生するチャタリングを除去することができる。
【０１６１】
また、第５の実施形態におけるチャタリング防止部１１ｅは、予め定められた所定の周期のクロック信号ＣＬＫによって動作し、クロック信号ＣＬＫの周期に基づいた所定のパルス幅以下のパルス信号を、コンパレータ部９１の出力ＣＭＰから除去するチャタリング防止回路部６７（論理回路）を含む。チャタリング防止回路部６７は、コンパレータ部９１の出力ＣＭＰが非充電状態を示す場合にリセット状態を保持し、クロック信号ＣＬＫがクロック端子に供給され、入力端子が論理Ｈ（ハイ）状態に固定されたシフトレジスタ（フリップフロップ６７１及び６７２を備える２ビットのシフトレジスタ）を備える。また、このシフトレジスタの出力が、チャタリング防止部１１ｅの出力である。
【０１６２】
これにより、コンパレータ部９１による比較の際に発生するチャタリングが、充電検出逆流防止部９ｅの出力（充電検出信号）から除去される。そのため、充電検出逆流防止部９ｅの誤検出を低減することができる。したがって、消費電力制御装置２０ｅは、誤検出による低消費電力状態への遷移を防止しつつ、二次電池２の過放電状態になることを防止することができる。さらに、消費電力制御装置２０ｅは、充電状態から非充電状態に遷移する場合と非充電状態から充電状態に遷移する場合とのいずれの場合にも、コンパレータ部９１の出力ＣＭＰに発生するチャタリングを除去することができる。
【０１６３】
また、第５の実施形態におけるクロック信号ＣＬＫは、太陽電池１から供給される電力により生成される。
これにより、非充電状態から充電状態に遷移する場合に必要なクロック信号ＣＬＫをチャタリング防止回路部６７に供給することができる。
【０１６４】
なお、本発明は、上記の各実施形態に限定されるものではなく、本発明の趣旨を逸脱しない範囲で変更可能である。上記の各実施形態において、一次電源部に太陽電池１を用いる形態を説明したが、他の一次電源部を用いる形態でもよい。例えば、運動エネルギーを電磁誘導によって電気エネルギーに変換する発電装置を一次電源部に用いる形態でもよい。
また、上記の各実施形態において、二次電源部に二次電池２を用いる形態を説明したが、コンデンサ素子を用いる形態でもよい。
【０１６５】
また、上記の各実施形態において、電源線ＶＤＤが時計（１００ｂ、１００ｃ、１００ｄ、又は１００ｅ）全体の基準電位を示すＶＤＤアースである形態について説明したが、電源線ＶＳＳが時計（１００ｂ、１００ｃ、１００ｄ、又は１００ｅ）全体の基準電位を示すＶＳＳアースである形態でもよい。
また、上記の各実施形態において、電子機器は、一例として時計装置である形態を説明したが、他の電子機器に適用してもよい。また、消費電力制御装置（２０ｂ、２０ｃ、２０ｄ、又は２０ｅ）は、時計装置に適用する形態を説明したが、他の電子機器に適用してもよい。他の電子機器とは、例えば、電子式卓上計算機や電子辞書などでもよい。
【０１６６】
また、上記の各実施形態において、時計（１００ｂ、１００ｃ、１００ｄ、又は１００ｅ）は、アナログ表示時計である形態を説明したが、デジタル表示時計に適用してもよいし、アナログ表示・デジタル表示混載時計に適用してもよい。デジタル表示がある場合、停止する時計動作は、時刻モータによる運針動作に限定されるものではなく、液晶表示部などにデジタル時刻表示を表示する動作でもよい。
また、上記の各実施形態において、低消費電力状態が時計動作を停止した状態である形態を説明したが、負荷部による消費電力を低減する状態であれば、他の状態でもよい。例えば、時計制御部５が一部の機能を停止した状態でもよいし、時計制御部５を動作させるクロック信号を低い周波数に切り替えた状態でもよい。
【０１６７】
また、上記の各実施形態において、ＮＭＯＳスイッチ９２は、二次電池２の陰極端子と太陽電池１の陰極端子との間に配置される形態を説明したが、二次電池２の陽極端子と太陽電池１の陽極端子との間に配置される形態でもよい。
また、上記の各実施形態において、チャタリング防止部（１１ｂ、１１ｃ、１１ｄ、又は１１ｅ）をそれぞれ単独に備える形態を説明したが、各チャタリング防止部（１１ｂ、１１ｃ、１１ｄ、１１ｅ）を組み合わせて複数備える形態でもよい。
【０１６８】
また、上記の第２及び第３の実施形態において、チャタリング防止部１１ｂ（又は１１ｃ）として、ダイオード素子６３（又は抵抗素子６４）を含む形態を説明したが、これに限定されるものではない。コンパレータ部９１において比較を行う２つの入力端子間に予め定められた所定の電位差を生成する構成であれば、他の形態でもよい。また、ＮＭＯＳスイッチ９２と同様に、二次電池２の陽極端子と太陽電池１の陽極端子との間に配置される形態でもよい。
【０１６９】
また、上記の第４の実施形態において、ローパスフィルタがＲＣフィルタ回路である形態を説明したが、予め定められた所定の周波数以上のパルス信号をコンパレータ部９１の出力から除去するローパスフィルタであれば、他のフィルタを用いる形態でもよい。
また、上記の第５の実施形態において、チャタリング防止回路部６７は、図１１の論理回路に限定されるものではない。使用するクロック信号ＣＬＫの周期に基づいた所定のパルス幅以下のパルス信号を除去する論理回路であれば、他の論理回路でもよい。また、チャタリング防止回路部６７として、２ビットのシフトレジスタを用いる形態を説明したが、他のビット数（ｎビット）のシフトレジスタを用いる形態でもよい。ビット数は、発生するチャタリングのパルス幅と使用するクロック信号ＣＬＫの周期とを考慮して決定してもよい。
【０１７０】
＜第６の実施形態＞
続いて、第６の実施形態による電子装置（例えば、時計装置）について図面を参照して説明する。
図１３は、第６の実施形態による時計装置１００ｆを示す概略ブロック図である。
時計装置（以下、時計という）１００ｆは、例えば、アナログ表示時計である。この図において、時計１００ｆは、太陽電池１、二次電池２、時計制御部５、及び電源制御装置（消費電力制御装置）２０ｆを備えている。
【０１７１】
消費電力制御装置２０ｆは、時計１００ｆの電力制御を行う。消費電力制御装置２０ｆは、太陽電池１の状態と二次電池２の状態とに基づいて、低消費モード信号を時計制御部５に出力する。また、消費電力制御装置２０ｆは、消費電力制御部１０ｆ、電圧検出部８、充電検出逆流防止部（充電検出部）９ｂ、及び太陽電池負荷部１３を備えている。不図示の振動防止部は、太陽電池負荷部１３を備える。
第６の実施形態における消費電力制御装置２０ｆ（図１３）は、第２の実施形態における消費電力制御装置２０ｂ（図６）と比べると、消費電力制御部１０が消費電力制御部１０ｆに変更され、太陽電池負荷部１３が追加された構成になっている。
【０１７２】
太陽電池１（一次電源部）は、陽極端子が電源線ＶＤＤに接続され、陰極端子が電源線ＳＶＳＳに接続されている。また、太陽電池１の陰極端子は、充電検出逆流防止部９ｂに接続されている。太陽電池１は、起電力を生成するパネルを備え、パネルに照射された光により起電力を生成する。太陽電池１は、充電検出逆流防止部９ｂを通じて二次電池２を充電する。また、太陽電池１は、電源線ＶＤＤを通じて時計１００ｆの各部に電力を供給する。なお、ここで電源線ＶＤＤはＶＤＤアースであり、時計１００ｆ全体の基準電位を示す。
【０１７３】
二次電池２（二次電源部）は、陽極端子が電源線ＶＤＤに接続され、陰極端子が電源線ＶＳＳに接続されている。また、二次電池２の陰極端子は、充電検出逆流防止部９ｂに接続されている。二次電池２は、充電検出逆流防止部９ｂを通じて太陽電池の起電力によって充電される。また、二次電池２は、電源線ＶＤＤを通じて時計１００ｆの各部に電力を供給する。
【０１７４】
電圧検出部８（検出部）は、消費電力制御部１０ｆから供給された検出サンプリング信号をトリガ信号として、二次電池２の出力電圧が予め定められた閾値以下であるか否かを検出する。電圧検出部８は、二次電池２の出力電圧が予め定められた閾値以下である状態（低電圧状態）を検出すると、検出結果として低電圧検出信号を消費電力制御部１０ｆに出力する。具体的には、低電圧検出信号は、二次電池２の出力電圧が予め定められた閾値以下である場合に、Ｈ状態になり、二次電池２の出力電圧が予め定められた閾値より大きい場合に、Ｌ状態になる。
【０１７５】
なお、予め定められた閾値は、例えば、時刻モータを駆動可能な下限電圧より予め定められた電圧分大きい値である。また、予め定められた閾値は、過放電状態である場合における二次電池２の出力電圧より大きい値である。ここで、過放電状態とは、例えば、時刻モータの動作限界以下の電圧まで二次電池２が消費され、太陽電池１の起電力によって充電が行われた場合でも、二次電池２がすぐに時刻モータが動作可能な電圧に回復しない状態である。
【０１７６】
時計制御部５は、時刻を計時する時計動作を制御する。この時計動作には、時刻を表示する時計１００ｆの針を運針する時刻モータを駆動する動作が含まれる。時計制御部５は、消費電力制御部１０ｆから供給される低消費モード信号に基づいて時刻モータの駆動を停止、又は開始する。具体的には、低消費モード信号がＨ（ハイ）状態である場合に、時計制御部５は、時刻モータの駆動を停止する。また、低消費モード信号がＬ（ロウ）状態である場合に、時計制御部５は、時刻モータの駆動を行う。
【０１７７】
太陽電池負荷部１３（第１の負荷部）は、予め定められた負荷を有しており、太陽電池１の陽極端子（電源線ＶＤＤ）と陰極端子（電源線ＳＶＳＳ）との間に接続されている。予め定められた負荷についての詳細は後述する。太陽電池負荷部１３（第１の負荷部）は、消費電力制御部１０ｆから供給される負荷制御信号に基づいて、太陽電池１の陽極端子と陽極端子との間に、予め定められた負荷を接続する。具体的には、負荷制御信号がＬ状態である場合に、太陽電池負荷部１３は、予め定められた負荷を接続する。また、負荷制御信号がＨ状態である場合に、太陽電池負荷部１３は、予め定められた負荷を切り離し未接続にする。
また、太陽電池負荷部１３は、ＰＭＯＳスイッチ１３１及び負荷抵抗１３２を備えている。
【０１７８】
ＰＭＯＳスイッチ１３１は、例えば、ＰＭＯＳトランジスタ（Ｐチャネル型金属酸化膜半導体電界効果トランジスタ）などのスイッチである。ＰＭＯＳスイッチ１３１は、ソース端子が電源線ＶＤＤに、ゲート端子が消費電力制御部１０ｆから供給される負荷制御信号の信号線に、ドレイン端子が負荷抵抗１３２の一端に、それぞれ接続されている。ＰＭＯＳスイッチ１３１は、消費電力制御部１０ｆから供給される負荷制御信号に基づいて、太陽電池１に予め定められた負荷を接続する。
具体的には、負荷制御信号がＬ状態である場合に、ＰＭＯＳスイッチ１３１は、電源線ＶＤＤと負荷抵抗１３２の一端とを導通状態にして、太陽電池１に予め定められた負荷を接続する。また、負荷制御信号がＨ状態である場合に、ＰＭＯＳスイッチ１３１は、電源線ＶＤＤと負荷抵抗１３２の一端とを非導通状態にして、太陽電池１に予め定められた負荷を未接続にする。
【０１７９】
負荷抵抗１３２は、例えば、半導体基板に形成されたウェル抵抗やポリシリコン抵抗などによって形成された抵抗である。負荷抵抗１３２は、一端がＰＭＯＳスイッチ１３１のドレイン端子に、他端が太陽電池１の陰極端子（電源線ＳＶＳＳ）に接続されている。負荷抵抗１３２は、予め定められた抵抗値を示し、この抵抗値によって、太陽電池１の陽極端子と陰極端子との間に予め定められた負荷を与える。
ここで、予め定められた抵抗値は、太陽電池１において起電力を生成するパネル（ソーラパネル）に照射される光の照度と起電力との関係に基づいて定められる。
【０１８０】
例えば、太陽電池１に照度５００ルクス以上の光が照射されることによって、後述する通常動作状態（時計動作状態）を動作させるのに十分な起電力が得られる場合について説明する。この場合、照度５００ルクスにおいて、太陽電池１の出力電圧が上述の予め定められた閾値を超える電圧になるように、予め定められた抵抗値は設定される。上述の予め定められた負荷は、予め定められた抵抗値によって定まる。そのため、いいかえると、予め定められた負荷は、光の照度と起電力との関係に基づいて定められる。
なお、太陽電池１の出力電流は、パネルの面積に依存する。そのため、予め定められた抵抗値は、パネルの面積と起電力との関係に基づいて定められる。つまり、予め定められた負荷は、パネルの面積と起電力との関係に基づいて定められる。
【０１８１】
消費電力制御部１０ｆは、電圧検出部８による検出結果に基づいて、二次電池２の出力電圧（出力電位差）が予め定められた閾値以下であるか否かを判定する。また、消費電力制御部１０ｆは、充電検出逆流防止部９ｂによる検出結果（充電検出信号）に基づいて、太陽電池１の出力電圧（出力電位差）が二次電池２の出力電圧（出力電位差）以下の状態を示す非充電状態であるか否かを判定する。
消費電力制御部１０ｆは、非充電状態である場合、且つ、二次電池２の出力電圧が予め定められた閾値以下である場合に、低消費モード信号にＨ状態を出力する。これにより、消費電力制御部１０ｆは、時刻を計時する時計動作を停止する低消費電力状態に時計制御部５を遷移させる。つまり、消費電力制御部１０ｆは、非充電状態である場合に、第２の負荷部（ここでは、時計制御部５及び時刻モータ）による消費電力を低減させる。
【０１８２】
また、消費電力制御部１０ｆは、非充電状態である場合、且つ、二次電池２の出力電圧が予め定められた閾値以下である場合に、負荷制御信号にＬ状態を出力する。つまり、消費電力制御部１０ｆは、低消費電力状態にする際に、負荷制御信号にＬ状態を出力する。すなわち、消費電力制御部１０ｆは、低消費電力状態にある場合に、太陽電池負荷部１３に対して、太陽電池１に上述の予め定められた負荷を接続させる。
【０１８３】
また、消費電力制御部１０ｆは、充電検出逆流防止部９ｂによる検出結果（充電検出信号）に基づいて、低消費電力状態にある場合に、非充電状態であるか否かを判定する。消費電力制御部１０ｆは、非充電状態でない場合に、低消費モード信号にＬ状態を出力する。これにより、消費電力制御部１０ｆは、低消費電力状態から時計動作を行う通常動作状態（時計動作状態）に時計制御部５を遷移させる。ここで、通常動作状態（時計動作状態）とは、時計制御部５が時刻モータの駆動を行っている状態である。すなわち、消費電力制御部１０ｆは、非充電状態でない場合に、時計制御部５に低消費電力状態を解除させる。つまり、消費電力制御部１０ｆは、予め定められた負荷を接続させた太陽電池１の出力電圧に基づいて、低消費電力状態を解除する。
【０１８４】
また、消費電力制御部１０ｆは、非充電状態でない場合に、負荷制御信号にＬ状態を出力する。つまり、消費電力制御部１０ｆは、低消費電力状態が解除される場合に、負荷制御信号にＬ状態を出力する。すなわち、消費電力制御部１０ｆは、低消費電力状態が解除される場合に、太陽電池負荷部１３に対して、太陽電池１に上述の予め定められた負荷を未接続にさせる。
また、消費電力制御部１０ｆは、二次電池２の出力電圧を検出するトリガ信号として検出サンプリング信号を電圧検出部８に供給する。
【０１８５】
なお、予め定められた負荷は、例えば、二次電池２の出力電圧が上述の予め定められた閾値と等しく、且つ低消費電力状態が解除されている場合（通常動作状態である場合）において、上述の第２の負荷部（時計制御部５及び時刻モータ）による消費電力（又は最大消費電力）より大きい負荷である。つまり、二次電池２の出力電圧が予め定められた閾値である場合に、この予め定められた負荷によって、時計制御部５及び時刻モータが消費する電流より大きい電流が流れる。そのため、低消費電力状態が解除されるためには、太陽電池１が、通常動作状態で時計制御部５及び時刻モータが消費する消費電力より多く、且つ、予め定められた閾値より大きい電圧を出力する起電力を発生させる必要がある。
【０１８６】
充電検出逆流防止部９ｂは、太陽電池１の出力電圧が二次電池２の出力電圧以下の状態を示す非充電状態を検出する。充電検出逆流防止部９ｂは、非充電状態を検出した場合、検出結果として、充電検出信号を消費電力制御部１０ｆに出力する。具体的には、充電検出信号は、非充電状態である場合に、Ｌ状態である。また、充電検出信号は、太陽電池１の出力電圧が二次電池２の出力電圧より大きい状態を示す充電状態である場合に、Ｈ状態である。
【０１８７】
また、充電検出逆流防止部９ｂは、非充電状態である場合に、太陽電池１の陰極端子に接続された電源線ＳＶＳＳと二次電池２の陰極端子に接続された電源線ＶＳＳとの間の導通を遮断する。これにより、充電検出逆流防止部９ｂは、二次電池２から太陽電池１に電流が逆流するのを防止する。
【０１８８】
また、充電検出逆流防止部９ｂは、コンパレータ部９１、ＮＭＯＳスイッチ９２、及びダイオード素子６３を備える。
【０１８９】
コンパレータ部９１は、入力端子の一端が太陽電池１の陰極端子に接続された電源線ＳＶＳＳに、入力端子の他端が二次電池２の陰極端子に接続された電源線ＶＳＳに、それぞれ接続される。また、コンパレータ部９１の出力は、充電検出信号である。コンパレータ部９１は、太陽電池１の出力電圧と二次電池２の出力電圧とを比較し、太陽電池１の出力電圧が二次電池２の出力電圧以下である非充電状態の場合に、非充電状態であることを示す出力（充電検出信号）をする。コンパレータ部９１は、太陽電池１の出力電圧が二次電池２の出力電圧以下である場合（非充電状態である場合）に、充電検出信号としてＬ状態を消費電力制御部１０ｆに出力する。また、コンパレータ部９１は、太陽電池１の出力電圧が二次電池２の出力電圧より大きい場合（充電状態である場合）に、充電検出信号としてＨ状態を消費電力制御部１０ｆに出力する。
【０１９０】
ＮＭＯＳスイッチ９２（スイッチ部）は、例えば、ＮＭＯＳトランジスタ（Ｎチャネル型金属酸化膜半導体電界効果トランジスタ）などのスイッチである。ＮＭＯＳスイッチ９２は、ソース端子がダイオード素子６３のカソード端子に、ドレイン端子が電源線ＳＶＳＳに、ゲート端子がコンパレータ部９１の出力端子に、それぞれ接続される。なお、ダイオード素子６３のアノード端子は、電源線ＶＳＳに接続される。ＮＭＯＳスイッチ９２は、コンパレータ部９１の出力がＬ状態である場合（非充電状態である場合）に、電源線ＶＳＳと電源線ＳＶＳＳとの間を遮断する。これにより、ＮＭＯＳスイッチ９２は、二次電池２から太陽電池１に電流が逆流することを防止する。また、ＮＭＯＳスイッチ９２は、コンパレータ部９１の出力がＨ状態である場合（充電状態である場合）に、電源線ＶＳＳと電源線ＳＶＳＳとの間を導通する。これにより、太陽電池１の起電力が二次電池２に充電される。
【０１９１】
ダイオード素子６３は、コンパレータ部９１による比較の際に、コンパレータ部９１の出力に発生するチャタリングを防止する。このチャタリングは、太陽電池１の出力電圧と二次電池２の出力電圧とが近い電圧にある場合に、比較される２つの入力電位が近い値になるため、コンパレータ部９１の出力が振動する現象である。
【０１９２】
ダイオード素子６３は、アノード端子が電源線ＶＳＳに、カソード端子がＮＭＯＳスイッチ９２のソース端子にそれぞれ接続される。つまり、ダイオード素子６３は、二次電池２の陰極端子と太陽電池１の陰極端子との間に、非充電状態でない場合（ＮＭＯＳスイッチ９２が導通している場合）に順方向バイアスになる向きにＮＭＯＳスイッチ９２と直列に配置される。また、ダイオード素子６３は、コンパレータ部９１において比較を行う２つの入力端子間（二次電池２の陰極端子と太陽電池１の陰極端子との間）に予め定められた所定の電位差を生成する。ここで、予め定められた所定の電位差とは、ダイオード素子６３の順方向降下電圧（ＶＦ）のことである。また、予め定められた所定の電位差は、コンパレータ部９１の出力にチャタリングが発生する電位差に応じて適宜設定される。ここでは、予め定められた所定の電位差は、例えば、０．３Ｖ（ボルト）である。
【０１９３】
次に、第６の実施形態における時計１００ｆの動作について説明する。
まず、太陽電池負荷部１３に関する時計１００ｆ及び消費電力制御装置２０ｆの動作について説明する。
時計１００ｆ及び消費電力制御装置２０ｆにおいて、低消費電力状態にある場合に、消費電力制御部１０ｆは、負荷制御信号にＬ状態を出力して、太陽電池負荷部１３の負荷抵抗１３２をＯＮ（オン）状態にする。つまり、消費電力制御部１０ｆは、負荷制御信号にＬ状態を出力して、ＰＭＯＳスイッチ１３１を導通状態（ＯＮ状態）にし、太陽電池１に予め定められた負荷（ここでは、負荷抵抗１３２）を接続させる。これにより、太陽電池１の起電力は、まず、太陽電池負荷部１３で消費される。なお、低消費電力状態にある場合に、充電検出逆流防止部９ｂのＮＭＯＳスイッチ６３は、非導通状態にある。そのため、太陽電池負荷部１３は、二次電池２における消費電力には、影響を与えない。
【０１９４】
低消費電力状態において太陽電池１に光が照射され、太陽電池１が起電力を生成した場合に、太陽電池負荷部１３によって電力が消費される。このため、太陽電池１が、太陽電池負荷部１３の予め定められた負荷による消費電力より大きい十分な起電力を生成するまで、太陽電池１の出力電圧は、二次電池２の出力電圧より大きくならない。したがって、太陽電池１のパネルに時計１００ｆを計時動作させるのに十分な照度の光が照射された場合に、太陽電池１の出力電圧が、二次電池２の出力電圧より大きくなる。これにより、充電検出逆流防止部９ｂのコンパレータ部９１が、充電検出信号としてＨ状態を消費電力制御部１０ｆに出力する。
【０１９５】
消費電力制御部１０ｆは、充電検出逆流防止部９ｂから出力された充電検出信号のＨ状態に基づいて、低消費電力状態から時計動作を行う通常動作状態に時計制御部５を遷移させる。つまり、消費電力制御部１０ｆは、予め定められた負荷を接続させた太陽電池１の出力電圧に基づいて、低消費電力状態を解除する。
また、消費電力制御部１０ｆは、低消費電力状態が解除される場合に、負荷制御信号にＨ状態を出力して、太陽電池負荷部１３の負荷抵抗１３２をＯＦＦ状態にする。これにより、太陽電池負荷部１３は、太陽電池１に予め定められた負荷（ここでは、負荷抵抗１３２）を未接続にする。
通常動作状態では、太陽電池１に負荷抵抗１３２が接続されないため、太陽電池１によって生成された起電力は、二次電池２の充電と、時計制御部５及び時刻モータとに消費される。なお、この場合、太陽電池１は、時計１００ｆを計時動作させるのに十分な起電力を生成しているため、時計１００ｆでは、再びすぐに低消費電力状態に遷移してしまうことはない。
【０１９６】
次に、図１４が示すフローチャートを用いて、時計１００ｆ及び消費電力制御装置２０ｆにおける消費電力制御処理を説明する。
図１４は、第６の実施形態における電源制御処理を示すフローチャートである。
時計１００ｆ及び消費電力制御装置２０ｆの消費電力制御処理において、まず、消費電力制御部１０ｆは、低消費電力状態か否かを判定する（ステップＳ３０１）。ステップＳ３０１において、消費電力制御部１０ｆは、低消費電力状態である場合には、処理をステップＳ３０５に進め、低消費電力状態でない場合（通常動作状態である場合）には、処理をステップＳ３０２に進める。
【０１９７】
次に、ステップＳ３０２において、消費電力制御部１０ｆは、電圧検出部８による検出結果に基づいて、二次電池２の出力電圧が予め定められた閾値以下であるか否かを判定する。つまり、消費電力制御部１０ｆは、電圧検出部８より出力された低電圧検出信号に基づいて、二次電池２の出力電圧が予め定められた閾値以下であるか否かを判定する。なお、低電圧検出信号は、二次電池２の出力電圧が予め定められた閾値以下である場合にＨ状態になる。また、低電圧検出信号は、二次電池２の出力電圧が予め定められた閾値より大きい場合にＬ状態になる。
また、ステップＳ３０２において、消費電力制御部１０ｆは、二次電池２の出力電圧が予め定められた閾値以下である場合（低電圧状態である場合）には、処理をステップＳ３０５に進め、二次電池２の出力電圧が予め定められた閾値より大きい場合には、処理をステップＳ３０３に進める。
【０１９８】
次に、ステップＳ３０３において、消費電力制御部１０ｆは、太陽電池負荷部１３の負荷抵抗１３２をＯＦＦ状態にする。つまり、消費電力制御部１０ｆは、負荷制御信号にＨ状態を出力して、ＰＭＯＳスイッチ１３１を非導通状態（ＯＦＦ状態）にする。これにより、負荷抵抗１３２が、太陽電池１の陽極端子（電源線ＶＤＤ）と未接続された状態にされる。つまり、消費電力制御部１０ｆは、太陽電池１に予め定められた負荷（ここでは負荷抵抗１３２）を未接続にさせる。
【０１９９】
次に、消費電力制御部１０ｆは、低消費モード信号をＬ状態にして、時計制御部５に低消費電力状態を解除させて通常動作状態に遷移させる（又は、時計制御部５に通常動作状態を維持させる）（ステップＳ３０４）。なお、ステップＳ３０３において、太陽電池負荷部１３が太陽電池１から未接続状態にされているため、太陽電池１によって生成された起電力は、太陽電池負荷部１３では消費されない。つまり、太陽電池１によって生成された起電力は、二次電池２の充電と、時計制御部５及び時刻モータとに消費される。
また、ステップＳ３０４の処理の後、消費電力制御部１０ｆは、消費電力制御処理を終了させる。
【０２００】
一方、ステップＳ３０５において、消費電力制御部１０ｆは、充電検出逆流防止部９ｂによる検出結果（充電検出信号）に基づいて、非充電状態であるか否かを判定する。なお、低電圧検出信号は、非充電状態である場合にＬ状態になる。また、低電圧検出信号は、非充電状態でない場合（充電状態である場合）にＨ状態になる。
また、ステップＳ３０５において、消費電力制御部１０ｆは、非充電状態である場合に、処理をステップＳ３０６に進め、非充電状態でない（充電状態である）場合には、処理をステップＳ３０３に進める。
なお、太陽電池１には、太陽電池負荷部１３によって負荷抵抗１３２が接続されているため、太陽電池１が太陽電池負荷部１３の予め定められた負荷による消費電力より大きい十分な起電力を生成するまで、充電検出逆流防止部９ｂは、充電検出信号にＨ状態を出力しない。つまり、ステップＳ３０５において、消費電力制御部１０ｆが非充電状態でない（充電状態である）と判定した場合は、太陽電池１のパネルに時計１００ｆを計時動作させるのに十分な照度の光が、照射されていることを示す。
【０２０１】
次に、ステップＳ３０６において、消費電力制御部１０ｆは、太陽電池負荷部１３の負荷抵抗１３２をＯＮ状態にする。つまり、消費電力制御部１０ｆは、負荷制御信号にＬ状態を出力して、ＰＭＯＳスイッチ１３１を導通状態（ＯＮ状態）にする。これにより、負荷抵抗１３２が、太陽電池１の陽極端子（電源線ＶＤＤ）と接続された状態にされる。つまり、消費電力制御部１０ｆは、太陽電池１に予め定められた負荷（ここでは負荷抵抗１３２）を接続させる。
【０２０２】
次に、消費電力制御部１０ｆは、低消費モード信号をＨ状態にして、時計制御部５に通常動作状態から低消費電力状態に遷移させる（又は、低消費電力状態を維持させる）（ステップＳ３０７）。なお、ステップＳ３０６において、太陽電池負荷部１３が太陽電池１から接続状態にされているため、この状態において太陽電池１に光が照射された場合、太陽電池１によって生成された起電力は、太陽電池負荷部１３において消費される。
また、ステップＳ３０７の処理の後、消費電力制御部１０ｆは、消費電力制御処理を終了させる。
なお、このステップＳ３０１からステップＳ３０７の消費電力制御処理は、消費電力制御装置２０ｆにおいて、繰り返し行われる。
【０２０３】
以上のように、時計１００ｆ及び消費電力制御装置２０ｆは、消費電力制御部１０ｆが、時計制御部５及び時刻モータ（第２の負荷部）による消費電力を低減する低消費電力状態にある場合に、太陽電池負荷部１３（第１の負荷部）に対して、太陽電池１（一次電源部）に予め定められた負荷（負荷抵抗１３２）を接続させる。また、消費電力制御部１０ｆは、予め定められた負荷を接続させた太陽電池１の出力電圧（出力電位）に基づいて、低消費電力状態を解除する。
これにより、太陽電池１が、太陽電池負荷部１３の予め定められた負荷による消費電力より大きい十分な起電力を生成するまで、低消費電力状態が解除されない。そのため、時計１００ｆ及び消費電力制御装置２０ｆは、太陽電池１（一次電源部）の起電力が十分でない場合に、低消費電力状態と通常動作状態との間の遷移を繰り返すことを防止することができる。
【０２０４】
太陽電池（一次電源部）は、ソーラパネルに十分な光が当たっていない場合であっても、高い電圧を出力することがある。特許文献１に記載されているような時計では、低消費電力状態において、太陽電池のソーラパネルに十分な光が当たっていないにもかかわらず、太陽電池から電圧を出力された場合に、低消費電力状態から通常動作状態に遷移する。ところが、太陽電池は、ソーラパネルに十分な光が当たっていない場合に時計を動作させるために十分な電力を供給できずに、再び低消費電力状態に遷移してしまうことがある。このため、特許文献１に記載されているような時計では、低消費電力状態と通常動作状態との間の遷移を繰り返すという問題があった。
【０２０５】
つまり、特許文献１に記載されているような時計では、一次電源部の起電力が十分でない場合に、低消費電力状態と通常動作状態との間の遷移を繰り返すという問題があった。それに対し、本実施形態の時計１００ｆ及び消費電力制御装置２０ｆは、上述したように、一次電源部の起電力が十分でない場合に、低消費電力状態と通常動作状態との間の遷移を繰り返すことを防止することができる。
【０２０６】
また、消費電力制御部１０ｆは、低消費電力状態が解除される場合に、太陽電池負荷部１３（第１の負荷部）に対して、太陽電池１（一次電源部）に予め定められた負荷（負荷抵抗１３２）を未接続にさせる。
これにより、通常動作状態にある場合、太陽電池１に予め定められた負荷（負荷抵抗１３２）が接続されないため、太陽電池１によって生成された起電力は、二次電池２の充電と、時計制御部５及び時刻モータとに消費される。よって、時計１００ｆ及び消費電力制御装置２０ｆは、通常動作状態にある場合に、太陽電池負荷部１３の影響を受けずに、太陽電池１によって生成された起電力を使用することができる。
【０２０７】
なお、本発明の実施形態によれば、消費電力制御装置２０ｆは、起電力を生成する太陽電池１（一次電源部）と、予め定められた負荷（負荷抵抗１３２）を有する太陽電池負荷部１３（第１の負荷部）と、時計制御部５及び時刻モータ（第２の負荷部）による消費電力を低減する低消費電力状態にある場合に、太陽電池負荷部１３に対して、太陽電池１に予め定められた負荷（負荷抵抗１３２）を接続させ、予め定められた負荷を接続させた太陽電池１の出力電圧（出力電位）に基づいて、低消費電力状態を解除する消費電力制御部１０ｆとを備える。
これにより、消費電力制御装置２０ｆは、太陽電池１（一次電源部）の起電力が十分でない場合に、低消費電力状態と通常動作状態との間の遷移を繰り返すことを防止することができる。
【０２０８】
また、消費電力制御部１０ｆは、低消費電力状態が解除される場合に、太陽電池負荷部１３（第１の負荷部）に対して、太陽電池１（一次電源部）に予め定められた負荷（負荷抵抗１３２）を未接続にさせる。
これにより、消費電力制御装置２０ｆは、通常動作状態にある場合に、太陽電池負荷部１３の影響を受けずに、太陽電池１によって生成された起電力を使用することができる。
【０２０９】
また、太陽電池負荷部１３（第１の負荷部）は、太陽電池１（一次電源部）に予め定められた負荷（負荷抵抗１３２）を接続するＰＭＯＳスイッチ１３１（スイッチ部）を備える。
これにより、太陽電池負荷部１３は、太陽電池１に負荷抵抗１３２を接続した状態と未接続の状態を切り替えることができる。つまり、消費電力制御装置２０ｆは、低消費電力状態にある場合に、太陽電池１に負荷抵抗１３２を接続し、通常動作状態にある場合に、太陽電池１に負荷抵抗１３２を未接続にすることができる。
【０２１０】
また、消費電力制御装置２０ｆは、太陽電池１の起電力によって充電される二次電池２（二次電源部）と、二次電池２（二次電源部）の出力電圧（出力電位差）が予め定められた閾値以下であるか否かを検出する電圧検出部８（検出部）とを備える。また、消費電力制御部１０ｆは、電圧検出部８によって検出された検出結果が予め定められた閾値以下である場合に、低消費電力状態に遷移させる。さらに、予め定められた負荷は、二次電池２（二次電源部）の出力電圧（出力電位差）が予め定められた閾値と等しく、且つ低消費電力状態が解除されている場合において、時計制御部５及び時刻モータ（第２の負荷部）による消費電力より大きい負荷である。
これにより、予め定められた負荷が、通常動作状態における二次電池２の最小電圧における時計制御部５及び時刻モータの消費電力より大きく定められる。そのため、低消費電力状態から通常動作状態に遷移しても再び低消費電力状態に戻らないために必要な太陽電池１の起電力によって、確実に通常動作状態に遷移させることが可能になる。
【０２１１】
また、一次電源部は、太陽電池１であり、予め定められた負荷は、太陽電池１において起電力を生成するパネルに照射される光の照度と起電力との関係に基づいて定められる。
これにより、太陽電池１の起電力を生成する能力に応じて、最適な予め定められた負荷を定めることができる。
【０２１２】
また、時計１００ｆ（時計装置）は、上述の消費電力制御装置２０ｆを備える。
これにより、時計１００ｆ（時計装置）は、上述の消費電力制御装置２０ｆと同様の効果を得ることができる。つまり、時計１００ｆ（時計装置）は、太陽電池１（一次電源部）の起電力が十分でない場合に、低消費電力状態と通常動作状態との間の遷移を繰り返すことを防止することができる。
【０２１３】
なお、本発明は、上記の実施形態に限定されるものではなく、本発明の趣旨を逸脱しない範囲で変更可能である。上記の実施形態において、一次電源部に太陽電池１を用いる形態を説明したが、他の一次電源部を用いる形態でもよい。例えば、熱エネルギーを電気エネルギーに変換する発電素子を一次電源部に用いる形態でもよいし、運動エネルギーを電磁誘導によって電気エネルギーに変換する発電装置を一次電源部に用いる形態でもよい。
また、上記の実施形態において、二次電源部に二次電池２を用いる形態を説明したが、コンデンサ素子を用いる形態でもよい。
【０２１４】
また、上記の実施形態において、電源線ＶＤＤが時計１００ｆ全体の基準電位を示すＶＤＤアースである形態について説明したが、電源線ＶＳＳが時計１００ｆ全体の基準電位を示すＶＳＳアースである形態でもよい。
また、上記の実施形態において、電子機器は、一例として時計装置である形態を説明したが、他の電子機器に適用してもよい。また、消費電力制御装置２０ｆは、時計装置に適用する形態を説明したが、他の電子機器に適用してもよい。他の電子機器とは、例えば、電子式卓上計算機や電子辞書などでもよい。
【０２１５】
また、上記の実施形態において、時計１００ｆは、アナログ表示時計である形態を説明したが、デジタル表示時計に適用してもよいし、アナログ表示・デジタル表示混載時計に適用してもよい。デジタル表示がある場合、停止する時計動作は、時刻モータによる運針動作に限定されるものではなく、液晶表示部などにデジタル時刻表示を表示する動作でもよい。
また、上記の実施形態において、低消費電力状態が時計動作を停止した状態である形態を説明したが、第２の負荷部による消費電力を低減する状態であれば、他の状態でもよい。例えば、時計制御部５が一部の機能を停止した状態でもよいし、時計制御部５を動作させるクロック信号を低い周波数に切り替えた状態でもよい。
【０２１６】
また、上記の実施形態において、充電検出逆流防止部９ｂがＮＭＯＳスイッチ９２とダイオード素子６３とを備える形態を説明したが、ダイオード素子６３を備えない形態でもよい。また、充電検出逆流防止部９ｂが、ＮＭＯＳスイッチ９２を備えない形態でもよい。
また、上記の実施形態において、太陽電池負荷部１３は、ＰＭＯＳスイッチ１３１と負荷抵抗１３２とを備える形態を説明したが、これに限定されるものではない。例えば、太陽電池負荷部１３が負荷抵抗１３２を備えずに、ＰＭＯＳスイッチ１３１のＯＮ抵抗を予め定められた負荷に用いる形態でもよい。この場合、負荷抵抗１３２が不要になるという効果が期待できる。また、太陽電池負荷部１３は、負荷抵抗１３２の代わりにカレントミラー回路などの定電流源回路を備える形態でもよい。この場合、太陽電池１の出力電圧によらずに、安定した負荷を得ることができる。
【０２１７】
また、低消費電力状態から通常動作状態に遷移する条件及び通常動作状態から低消費電力状態に遷移する条件は、上記の実施形態に限定されず、他の条件によって遷移される形態でもよい。例えば、消費電力制御部１０ｆは、電圧検出部８によって検出された検出結果が予め定められた閾値以下である場合に、通常動作状態から低消費電力状態に遷移させてもよい。また、消費電力制御部１０ｆは、電圧検出部８によって検出された検出結果が予め定められた閾値より大きい場合に、低消費電力状態から通常動作状態に遷移させてもよい。この場合、電圧検出部８が検出する電圧は、非充電状態である場合には、二次電池２の出力電圧となり、充電状態である場合には、太陽電池１から充電検出逆流防止部９ｂを介して電源線ＶＤＤと電源線ＶＳＳとの間に供給される電圧となる。
【０２１８】
＜第７の実施形態＞
続いて、第７の実施形態による電子装置（例えば、時計装置）について図面を参照して説明する。
図１５は、第７の実施形態による時計装置１００ｇの構成を示す概略ブロック図である。時計装置（以下、時計という）１００ｇは、例えば、アナログ表示時計である。この図において、時計１００ｇは、太陽電池１、二次電池２、水晶振動子４、時計制御部５ｇ、時刻モータ６、スイッチ７、消費電力制御装置２０ｇを備える。また、消費電力制御装置２０ｇは、発振制御部３、電池電圧検出部８、充電検出逆流防止部（充電検出部）９ｂ、消費電力制御部１０ｇ、及びチャタリング防止回路部６７を備える。また、時計制御部５ｇは、モータ駆動部５１を備える。
【０２１９】
第１の実施形態における異なる時計１００（図１）と本実施形態の時計１００ｇ（図１５）とを比較すると、時計制御部５（図１）が時計制御部５ｇ（図１５）に変更され、充電検出逆流防止部９（図１）が充電検出逆流防止部９ｂ（図１５）に変更され、消費電力制御部１０（図１）が消費電力制御部１０ｇ（図１５）に変更されている。他の構成は、図１に示す時計１００と同様である。このため、同一の構成部分には同一の符号を付し、重複する説明は省略する。
【０２２０】
また、充電検出逆流防止部９ｂは、第２の実施形態における充電検出逆流防止部９ｂと同一であるので、その説明を省略する。なお、充電検出逆流防止部９ｂは、第１の実施形態の充電検出逆流防止部９、第３の実施形態の充電検出逆流防止部９ｃ、第４の実施形態の充電検出逆流防止部９ｄ、又は、第５の実施形態の充電検出逆流防止部９ｅに置き換えられてもよい。
また、チャタリング回路６７は、第３の実施形態におけるチャタリング回路６７と同一であるので、その説明を省略する。
【０２２１】
消費電力制御部１０ｇは、第１の実施形態における消費電力制御部１０の機能と同一の機能を持つことに加えて、第６の実施形態における消費電力制御部１０ｆの負荷制御信号が追加されているものである。消費電力制御部１０ｇにおける負荷制御信号は、モータ駆動部５１に対する切替信号Ｉｓとして機能する。
【０２２２】
消費電力制御部１０ｇは、時計１００ｇを低消費電力状態とする際、Ｈ状態の低消費モード信号を時計制御部５ｇに出力し、Ｈ状態の切替信号Ｉｓを時計制御部５ｇの後述するモータ駆動制御部５１に出力する。
これにより、モータ駆動回路５１が備える抵抗ＲＳ１が、電源線ＶＤＤと電源線ＳＶＳＳとの間に挿入される。そして、太陽電池１が予め定められた抵抗ＲＳ１における消費電力より大きい起電力を生成するまで、充電検出逆流防止部９ｂは、チャタリング防止回路部６７に出力する充電検出信号をＨ状態にしない。これにより、消費電力制御部１０ｇは時計１００ｇを低消費電力状態にさせることができる。
【０２２３】
一方、消費電力制御部１０ｇは、充電状態と判定した場合、Ｌ状態の低消費モード信号を時計制御部５ｇに出力し、Ｌ状態の切替信号Ｉｓを時計制御部５ｇの後述するモータ駆動制御部５１に出力する。
これにより、モータ駆動回路５１が備える抵抗ＲＳ１が、電源線ＶＤＤと電源線ＳＶＳＳとの間からはずされ、消費電力制御部１０ｇは時計１００ｇを低消費電力状態から通常動作状態に遷移させることができる。
【０２２４】
時計制御部５ｇは、第１の実施形態における時計制御部５と同様の機能を持つが以下の点で異なる。時計制御部５ｇは、モータ駆動回路５１を備える。
モータ駆動回路５１は、電源線ＶＤＤおよび電源線ＳＶＳＳと接続されている。
【０２２５】
また、モータ駆動回路５１は、消費電力制御部１０ｇから入力された切替信号Ｉｓに基づいて、７つのゲート信号ＧＳ＿ｊ（ｊは１から７までの整数）を生成する。ここで、ゲート信号ＧＳ＿ｊは、各スイッチのソース−ドレイン間の導通状態と開放状態を切り替える電圧信号である。
そして、モータ駆動回路５１は、生成したゲート信号ＧＳ＿ｊに基づいて、抵抗ＲＳ１を電源線ＶＤＤと電源線ＳＶＳＳとの間に挿入するか、又は、はずすかを切り替える。
【０２２６】
図１６は、モータ駆動回路５１の回路図の一例である。モータ駆動回路５１は、ゲート信号生成部５２と、ＮＭＯＳスイッチＱ１と、ＮＭＯＳスイッチＱ２と、ＰＭＯＳスイッチＱ３と、ＰＭＯＳスイッチＱ４と、ＰＭＯＳスイッチＱ５と、ＰＭＯＳスイッチＱ６と、ＮＭＯＳスイッチＱ７と、抵抗ＲＳ１と、抵抗ＲＳ２を備える。同図において、時刻モータ６のコイル１６１両端が、それぞれモータ駆動回路５１の出力端子Ｏｕｔ１と出力端子Ｏｕｔ２とに接続されている。
【０２２７】
また、モータ駆動回路５１内の不図示の第１の負荷部は、ＰＭＯＳスイッチＱ５と、ＮＭＯＳスイッチＱ７と、抵抗ＲＳ１とを備える。また、不図示の振動防止部は、不図示の第１の負荷部とを備える。振動防止部は、充電検出信号の振動を防止する。
【０２２８】
ゲート信号生成部５２は、切替信号ＩｓがＨ状態の場合、ＰＭＯＳスイッチＱ５のゲート端子に出力するゲート信号ＧＳ＿５をＬ状態、ＮＭＯＳスイッチＱ７のゲート端子に出力するゲート信号ＧＳ＿７をＨ状態にする。これにより、ゲート信号生成部５２は、ソース−ドレイン間をＯＮ状態（導通状態）にすることができる。
【０２２９】
また、スイッチ信号生成部５２は、切替信号ＩｓがＨ状態の場合、他のスイッチのソース−ドレイン間をＯＦＦ状態（開放状態）にするように各ゲート信号を生成する。具体的には、スイッチ信号生成部５２は、ＮＭＯＳスイッチＱ１に出力するゲート信号ＧＳ＿１をＬ状態、ＮＭＯＳスイッチＱ２に出力するゲート信号ＧＳ＿２をＬ状態、ＰＭＯＳスイッチＱ３に出力するゲート信号ＧＳ＿３をＨ状態、ＰＭＯＳスイッチＱ４に出力するゲート信号ＧＳ＿４をＨ状態、ＰＭＯＳスイッチＱ６に出力するゲート信号ＧＳ＿６をＨ状態にする。
【０２３０】
そして、ゲート信号生成部５２は、生成したゲート信号ＧＳ＿ｊを各スイッチＱｊのゲート端子に出力する。
これにより、ゲート信号生成部５２は、ＰＭＯＳスイッチＱ５とＮＭＯＳスイッチＱ７のソース−ドレイン間をＯＮ状態（導通状態）にし、他のスイッチのソース−ドレイン間をＯＦＦ状態（開放状態）にする。その結果、モータ駆動回路５１は、負荷抵抗としての抵抗ＲＳ１を電源ＶＤＤと電源線ＳＶＳＳの間に挿入することができる。
【０２３１】
ゲート信号生成部５２は、切替信号ＩｓがＬ状態の場合、各スイッチＱｊのソース−ドレイン間をＯＦＦ状態（開放状態）にする。その結果、モータ駆動回路５１は、電源ＶＤＤと電源線ＳＶＳＳの間に挿入された抵抗ＲＳ１をはずすことができる。
そして、ゲート信号生成部５２は、予め決められた規則（例えば、運針するのに定められた規則）に基づいて、各ゲート信号ＧＳ＿ｊを生成する。そして、ゲート信号生成部５２は、各ゲート信号ＧＳ＿ｊをｊが同一のスイッチＱｊのゲート端子に出力する。ここで、スイッチＱｊはモータ駆動回路５１が備えるｊ番目のスイッチを表し、例えば、１番目のスイッチＱ１はＮＭＯＳスイッチＱ１を意味する。なお、予め決められた規則については、後述する。
これにより、ゲート信号生成部５２は、各スイッチの動作状態（例えば、制動状態、第１の駆動状態、第１の誘起電圧検出状態、第２の駆動状態、第２の誘起電圧検出状態）を切り替えることができる。
【０２３２】
ＮＭＯＳスイッチＱ１は、例えば、ＮＭＯＳトランジスタなどのスイッチである。ＮＭＯＳスイッチＱ１は、ソース端子が電源線ＶＳＳに、ドレイン端子が出力端子Ｏｕｔ１に、ゲート端子がゲート信号生成部５２にそれぞれ接続されている。
ＮＭＯＳスイッチＱ１は、ゲート信号生成部５２から入力されるゲート信号ＧＳ＿１がＨ状態である場合、すなわち非充電状態である場合、電源線ＶＳＳと出力端子Ｏｕｔ１との間を導通する。これにより、二次電池ＶＳＳから出力された電流が出力端子Ｏｕｔ１に供給される。
【０２３３】
一方、ＮＭＯＳスイッチＱ１は、ゲート信号生成部５２から入力されるゲート信号ＧＳ＿１がＬ状態である場合、電源線ＶＳＳと出力端子Ｏｕｔ１との間を遮断する。これにより、二次電池ＶＳＳから出力された電流が出力端子Ｏｕｔ１に供給されるのを防ぐ。
【０２３４】
ＮＭＯＳスイッチＱ２は、例えば、ＮＭＯＳトランジスタなどのスイッチである。ＮＭＯＳスイッチＱ２は、ソース端子が電源線ＶＳＳに、ドレイン端子が出力端子Ｏｕｔ２に、ゲート端子がゲート信号生成部５２にそれぞれ接続されている。
ＮＭＯＳスイッチＱ２は、ゲート信号生成部５２から入力されるゲート信号ＧＳ＿２がＨ状態である場合、電源線ＶＳＳと出力端子Ｏｕｔ２との間を導通する。これにより、二次電池ＶＳＳから出力された電流が出力端子Ｏｕｔ２に供給される。
【０２３５】
一方、ＮＭＯＳスイッチＱ２は、ゲート信号生成部５２から入力されるゲート信号ＧＳ＿２がＬ状態である場合、電源線ＶＳＳと出力端子Ｏｕｔ２との間を遮断する。これにより、二次電池ＶＳＳから出力された電流が出力端子Ｏｕｔ２に供給されるのを防ぐ。
【０２３６】
ＰＭＯＳスイッチＱ３は、例えば、ＰＭＯＳトランジスタなどのスイッチである。ＰＭＯＳスイッチＱ３は、ソース端子が電源ＶＤＤに、ドレイン端子が出力端子Ｏｕｔ１に、ゲート端子がゲート信号生成部５２にそれぞれ接続されている。
ＰＭＯＳスイッチＱ３は、ゲート信号生成部５２から入力されるゲート信号ＧＳ＿３がＬ状態である場合、電源ＶＤＤと出力端子Ｏｕｔ１との間を導通する。これにより、出力端子ＯＵＴ１から電源ＶＤＤに電流が供給される。
【０２３７】
一方、ＰＭＯＳスイッチＱ３は、ゲート信号生成部５２から入力されるゲート信号ＧＳ＿３がＨ状態である場合、電源ＶＤＤと出力端子Ｏｕｔ１との間を遮断する。これにより、出力端子ＯＵＴ１から電源ＶＤＤに電流が供給されるのを防ぐ。
【０２３８】
ＰＭＯＳスイッチＱ４は、例えば、ＰＭＯＳトランジスタなどのスイッチである。ＰＭＯＳスイッチＱ４は、ソース端子が電源ＶＤＤに、ドレイン端子が出力端子Ｏｕｔ２に、ゲート端子がゲート信号生成部５２にそれぞれ接続されている。
ＰＭＯＳスイッチＱ４は、ゲート信号生成部５２から入力されるゲート信号ＧＳ＿４がＬ状態である場合、電源ＶＤＤと出力端子ＯＵＴ２との間を導通する。これにより、出力端子ＯＵＴ２から電源ＶＤＤに電流が供給される。
【０２３９】
一方、ＰＭＯＳスイッチＱ４は、ゲート信号生成部５２から入力されるゲート信号ＧＳ＿４がＨ状態である場合、電源ＶＤＤと出力端子Ｏｕｔ２との間を遮断する。これにより、出力端子Ｏｕｔ２から電源ＶＤＤに電流が供給されるのを防ぐ。
【０２４０】
ＰＭＯＳスイッチＱ５は、例えば、ＰＭＯＳトランジスタなどのスイッチである。ＰＭＯＳスイッチＱ５は、ソース端子が電源ＶＤＤに、ドレイン端子が抵抗ＲＳ１の一端に、ゲート端子がゲート信号生成部５２にそれぞれ接続されている。
ＰＭＯＳスイッチＱ５は、ゲート信号生成部５２から入力されるゲート信号ＧＳ＿５がＬ状態である場合、電源ＶＤＤと抵抗ＲＳ１との間を導通する。これにより、抵抗ＲＳ１から電源ＶＤＤに電流が供給される。
【０２４１】
一方、ＰＭＯＳスイッチＱ５は、ゲート信号生成部５２から入力されるゲート信号ＧＳ＿５がＨ状態である場合、電源ＶＤＤと抵抗ＲＳ１との間を遮断する。これにより、抵抗ＲＳ１から電源ＶＤＤに電流が供給されるのを防ぐ。
【０２４２】
ＰＭＯＳスイッチＱ６は、例えば、ＰＭＯＳトランジスタなどのスイッチである。ＰＭＯＳスイッチＱ６は、ソース端子が電源ＶＤＤに、ドレイン端子が抵抗ＲＳ２の一端に、ゲート端子がゲート信号生成部５２にそれぞれ接続されている。
ＰＭＯＳスイッチＱ６は、ゲート信号生成部５２から入力されるゲート信号ＧＳ＿６がＬ状態である場合、電源ＶＤＤと抵抗ＲＳ２との間を導通する。これにより、抵抗ＲＳ２から電源ＶＤＤに電流が供給される。
【０２４３】
一方、ＰＭＯＳスイッチＱ６は、ゲート信号生成部５２から入力されるゲート信号ＧＳ＿６がＨ状態である場合、電源ＶＤＤと抵抗ＲＳ２との間を遮断する。これにより、抵抗ＲＳ２から電源ＶＤＤに電流が供給されるのを防ぐ。
【０２４４】
ＮＭＯＳスイッチＱ７は、例えば、ＮＭＯＳトランジスタなどのスイッチである。ＮＭＯＳスイッチＱ７は、ソース端子が電源線ＳＶＳＳに、ドレイン端子が出力端子Ｏｕｔ１の一端に、ゲート端子がゲート信号生成部５２にそれぞれ接続されている。
ＮＭＯＳスイッチＱ７は、ゲート信号生成部５２から入力されるゲート信号ＧＳ＿７がＨ状態である場合、電源線ＳＶＳＳと出力端子Ｏｕｔ１との間を導通する。これにより、電源線ＳＶＳＳから出力端子Ｏｕｔ１に電流が供給される。
【０２４５】
一方、ＮＭＯＳスイッチＱ７は、ゲート信号生成部５２から入力されるゲート信号ＧＳ＿７がＬ状態である場合、電源線ＳＶＳＳと出力端子Ｏｕｔ１との間を遮断する。これにより、電源線ＳＶＳＳから出力端子Ｏｕｔ１に電流が供給されるのを防ぐ。
【０２４６】
図１７は、第７の実施形態における時刻モータ６の構成を示す概略図である。時刻モータ６は、コイル１６１と、導電体１６２と、ロータ１６３とを備える。同図に置いて、水平方向がＸ軸で、垂直方向がＹ軸であり、Ｘ軸の値が大きくなる方向を右、Ｙ軸の値が大きくなる方向を上とする。
コイル１６１の一端は、モータ駆動回路の出力端子Ｏｕｔ１に接続され、もう一端は、モータ駆動回路の出力端子Ｏｕｔ２に接続されている。コイル１６１は、モータ駆動回路から入力される電流により、導電体１６２に磁界を発生させる。
【０２４７】
導電体１６２は、コイル１６１により発生された磁界の向きによって、ロータ１６３を回転させる。具体的には、コイル１６１に出力端子Ｏｕｔ１から出力端子Ｏｕｔ２の方向に電流が流れることによって、導電体１６２には、矢印Ａ１６４の方向に磁界が発生する。ロータ１６３内の磁界の向きと、導電体１６２の磁界の向きが反対であることから、ロータ１６３に斥力が生じ、ロータ１６３が矢印Ａ１６５の向きに回転する。
【０２４８】
一方、コイル１６１に出力端子Ｏｕｔ２から出力端子Ｏｕｔ１の方向に電流が流れることによって、導電体１６２には、矢印Ａ１６６の方向に磁界が発生する。ロータ１６３内の磁界の向きが、導電体１６２の磁界の向きと同じなるように、ロータ１６３が矢印Ａ１６７の向きに回転する。
【０２４９】
続いて、切替信号ＩｓがＬ状態の場合に、ゲート信号生成部５２がゲート信号ＧＳ＿ｊを生成する際に使用する予め決められた規則の一例について説明する。
図１８は、制動状態における各スイッチの状態と、そのときの時刻モータ６のロータ１６３の回転方向を説明するための図である。図１８のＡには、各スイッチの状態が示されており、図１８のＢには、そのスイッチ状態におけるロータ１６３の回転方向が示されている。
【０２５０】
図１８のＡにおいて、ＰＭＯＳスイッチＱ３と、ＰＭＯＳスイッチＱ４とがＯＮ状態（導通状態）であり、その他のスイッチはＯＦＦ状態（開放状態）であることが示されている。
ＰＭＯＳスイッチＱ３と、ＰＭＯＳスイッチＱ４とがＯＮ状態となることにより、出力端子Ｏｕｔ１と出力端子Ｏｕｔ２は両方とも電源ＶＤＤと導通状態となり、出力端子Ｏｕｔ１と出力端子Ｏｕｔ２とが導通した状態になる。
【０２５１】
図１８のＢにおいて、図１８のＡのように出力端子Ｏｕｔ１と出力端子Ｏｕｔ２とが導通することにより、ロータ１６３が回転する際に生じる磁界によりコイル１６１に電流が発生した場合、コイル１６１には、その電流を打ち消す向きに電流が生じる。その結果、打ち消す向きに生じた電流が、ロータ１６３の磁界の向きとは逆向きに磁界を発生させる。そして、発生した磁界がロータ１６３に対してロータ１６３の回転方向とは逆方向に回転力を生じさせ、ロータ１６３の回転を停止させる。すなわち、モータ制御部５１は、ロータ１６３をその位置に留まるように制御する。
【０２５２】
図１９は、第１の駆動状態における各スイッチの状態と、そのときの時刻モータ６のロータ１６３の回転方向を説明するための図である。図１９のＡには、各スイッチの状態が示されており、図１９のＢには、そのスイッチ状態におけるロータ１６３の回転方向が示されている。
【０２５３】
図１９のＡにおいて、ＮＭＯＳスイッチＱ２と、ＰＭＯＳスイッチＱ３とがＯＮ状態（導通状態）であり、その他のスイッチはＯＦＦ状態（開放状態）であることが示されている。
ＮＭＯＳスイッチＱ２と、ＰＭＯＳスイッチＱ３とがＯＮ状態となることにより、出力端子Ｏｕｔ１から出力端子Ｏｕｔ２へ電流ｉが流れる。
【０２５４】
図１９のＢにおいて、図１９のＡのように出力端子Ｏｕｔ１から出力端子Ｏｕｔ２へ電流ｉが流れることにより、コイル１６１は、導電体１６２に矢印Ａ１６４の向きに磁界を発生させる。導電体１６２に生じた磁界の向き（矢印Ａ１６４）と、ロータ１６３内の磁界の向きが反対であることから、ロータ１６３に斥力が生じ、ロータ１６３が矢印Ａ１６５の向きに回転する。
【０２５５】
図２０は、第１の誘起電圧検出状態の各スイッチの状態と、そのときの時刻モータ６のロータ１６３の回転方向を説明するための図である。図２０のＡには、各スイッチの状態が示されており、図２０のＢには、そのスイッチ状態におけるロータ１６３の回転方向が示されている。
【０２５６】
図２０のＡにおいて、ＰＭＯＳスイッチＱ３と、ＰＭＯＳスイッチＱ６とがＯＮ状態（導通状態）であり、その他のスイッチはＯＦＦ状態（開放状態）であることが示されている。
ＰＭＯＳスイッチＱ３と、ＰＭＯＳスイッチＱ６とがＯＮ状態となることにより、出力端子Ｏｕｔ１は、電源ＶＤＤと導通し、出力端子Ｏｕｔ２は抵抗ＲＳ２を介して電源ＶＤＤと導通する。
【０２５７】
図２０のＢにおいて、同図の向かって左側に示すスイッチ状態の場合に、ロータ１６３が回転することにより、導電体１６２に磁界が生じ、その磁界によりコイル１６１に電流が生じる。コイル１６１は、生じた電流を抵抗ＲＳ２に供給し、抵抗ＲＳ２では誘起電圧Ｖｒｓ２が生じる。時計制御部５ｇは、この誘起電圧Ｖｒｓ２が予め決められた閾値を超える場合、ロータ１６３が回転したと判定する。一方、この誘起電圧Ｖｒｓ２が予め決められた閾値以下の場合、ロータ１６３が回転しなかったと判定する。
【０２５８】
図２１は、第２の駆動状態における各スイッチの状態と、そのときの時刻モータ６のロータ１６３の回転方向を説明するための図である。図２１のＡには、各スイッチの状態が示されており、図２１のＢには、そのスイッチ状態におけるロータ１６３の回転方向が示されている。
【０２５９】
図２１のＡにおいて、ＮＭＯＳスイッチＱ１と、ＰＭＯＳスイッチＱ４とがＯＮ状態（導通状態）であり、その他のスイッチはＯＦＦ状態（開放状態）であることが示されている。
ＮＭＯＳスイッチＱ１と、ＰＭＯＳスイッチＱ４とがＯＮ状態となることにより、出力端子Ｏｕｔ１から出力端子Ｏｕｔ２へ電流ｉが流れる。
【０２６０】
図２１のＢにおいて、図２１のＡのように出力端子Ｏｕｔ２から出力端子Ｏｕｔ１へ電流ｉが流れることにより、コイル１６１は、導電体１６２に矢印Ａ１６６の向きに磁界を発生させる。導電体１６２に生じた磁界の向き（矢印Ａ１６６）と、ロータ１６３内の磁界の向きが反対であることから、ロータ１６３に斥力が生じ、ロータ１６３が矢印Ａ６０８の向きに回転する。
【０２６１】
図２２は、第２の誘起電圧検出状態の各スイッチの状態と、そのときの時刻モータ６のロータ１６３の回転方向を説明するための図である。図２２のＡには、各スイッチの状態が示されており、図２２のＢには、そのスイッチ状態におけるロータ１６３の回転方向が示されている。
【０２６２】
図２２のＡにおいて、ＰＭＯＳスイッチＱ４と、ＰＭＯＳスイッチＱ５とがＯＮ状態（導通状態）であり、その他のスイッチはＯＦＦ状態（開放状態）であることが示されている。
ＰＭＯＳスイッチＱ４と、ＰＭＯＳスイッチＱ５とがＯＮ状態となることにより、出力端子Ｏｕｔ２は、電源ＶＤＤと導通し、出力端子Ｏｕｔ１は抵抗ＲＳ１を介して電源ＶＤＤと導通する。
【０２６３】
図２２のＢにおいて、同図の向かって左側に示すスイッチ状態の場合に、ロータ１６３が回転することにより、導電体１６２に磁界が生じ、その磁界によりコイル１６１に電流が生じる。コイル１６１は、生じた電流を抵抗ＲＳ１に供給し、抵抗ＲＳ１では誘起電圧Ｖｒｓ１が生じる。時計制御部５ｇは、この誘起電圧Ｖｒｓ１が予め決められた閾値を超える場合、ロータ１６３が回転したと判定する。一方、この誘起電圧Ｖｒｓ１が予め決められた閾値以下の場合、ロータ１６３が回転しなかったと判定する。
【０２６４】
図２３は、消費電力制御部１０ｇにより低消費電力状態に設定された場合の各スイッチの状態を説明するための図である。同図には、各スイッチの状態が示されている。
【０２６５】
同図において、ＰＭＯＳスイッチＱ５と、ＮＭＯＳスイッチＱ７とがＯＮ状態（導通状態）であり、その他のスイッチはＯＦＦ状態（開放状態）であることが示されている。
ＰＭＯＳスイッチＱ５と、ＮＭＯＳスイッチＱ７とがＯＮ状態となることにより、出力端子Ｏｕｔ１は抵抗ＲＳ１を介して電源ＶＤＤと導通し、また出力端子Ｏｕｔ１は、電源線ＳＶＳＳと導通する。すなわち、抵抗ＲＳ１が、電源ＶＤＤと電源線ＳＶＳＳとの間に挿入される。
この場合、出力端子Ｏｕｔ１から出力端子Ｏｕｔ２に電流が流れないので、ロータ１６３は回転しない。
【０２６６】
以上により、消費電力制御部１０ｇが、低消費電力状態に設定すると、消費電力制御部１０ｇは、モータ駆動回路５１にＨ状態の切替信号Ｉｓを出力する。モータ駆動回路５１は、Ｈ状態の切替信号Ｉｓが入力された場合、抵抗ＲＳ１を電源線ＶＤＤと電源線ＳＶＳＳとの間に抵抗ＲＳ１を挿入する。これにより、消費電力制御部１０ｇは、時計制御部５ｇを通常動作状態から低消費電力状態に遷移させる（又は、低消費電力状態を維持させる）ことができる。
【０２６７】
一方、消費電力制御部１０ｇが、低消費電力状態中に充電状態を検出すると、消費電力制御部１０ｇは、モータ駆動回路５１にＬ状態の切替信号Ｉｓを出力する。モータ駆動回路５１は、Ｌ状態の切替信号Ｉｓが入力された場合、抵抗ＲＳ１を電源線ＶＤＤと電源線ＳＶＳＳとの間に抵抗ＲＳ１からはずす。これにより、消費電力制御部１０ｇは、時計制御部５ｇを低消費電力状態から通常動作状態に遷移させる（又は、通常動作状態を維持させる）ことができる。
【０２６８】
図２４は、第７の実施形態における通常動作時の時計１００ｇにおける時計制御部５ｇの処理の流れを示したフローチャートである。まず、時計制御部５ｇは、制動状態にする（ステップＳ４０１）。時計制御部５ｇは、予め決められた時間（例えば、１秒）毎に生じる内部信号である駆動タイミング信号が発生したか否か判定する（ステップＳ４０２）。駆動タイミング信号が発生していない場合（ステップＳ４０２  ＮＯ）、時計制御部５ｇは、ステップＳ４０２の処理に戻る。
【０２６９】
一方、駆動タイミング信号が発生した場合（ステップＳ４０２  ＹＥＳ）、時計制御部５ｇは、予め決められた第一の所定時間の間、第１の駆動状態に遷移させる（ステップＳ４０３）。次に、時計制御部５ｇは、予め決められた所定時間の間、第１の誘起電圧検出状態に遷移させる（ステップＳ４０４）。次に、時計制御部５ｇは、誘起電圧があるか否か判定する（ステップＳ４０５）。
【０２７０】
誘起電圧があると判定した場合（ステップＳ４０５  ＹＥＳ）、時計制御部５ｇは、ステップＳ４０９の処理に進む。一方、誘起電圧がないと判定した場合（ステップＳ４０５  ＮＯ）、時計制御部５ｇは、予め決められた所定時間の間、制動状態に遷移させる（ステップＳ４０６）。次に、時計制御部５ｇは、第１の誘起電圧検出状態に遷移させた回数が、予め決められた繰り返し回数に到達したか否か判定する（ステップＳ４０７）。
【０２７１】
予め決められた繰り返し回数に到達していない場合（ステップＳ４０７  ＮＯ）、時計制御部５ｇは、ステップＳ４０４の処理に戻る。一方、予め決められた繰り返し回数に到達した場合（ステップＳ４０７  ＹＥＳ）、時計制御部５ｇは、予め決められた第二の所定時間の間、第１の駆動状態に遷移させる（ステップＳ４０８）。次に、時計制御部５ｇは、制動状態に遷移させる（ステップＳ４０９）。
【０２７２】
時計制御部５ｇは、予め決められた時間（例えば、１秒）毎に生じる駆動タイミング信号が発生したか否か判定する（ステップＳ４１０）。駆動タイミング信号が発生していない場合（ステップＳ４１０  ＮＯ）、時計制御部５ｇは、ステップＳ４０９の処理に戻る。一方、駆動タイミング信号が発生した場合（ステップＳ４１０  ＹＥＳ）、時計制御部５ｇは、予め決められた第一の所定時間の間、第２の駆動状態に遷移させる（ステップＳ４１１）。
【０２７３】
次に、時計制御部５ｇは、予め決められた所定時間の間、第２の誘起電圧検出状態に遷移させる（ステップＳ４１２）。
次に、時計制御部５ｇは、誘起電圧があるか否か判定する（ステップＳ４１３）。誘起電圧があると判定した場合（ステップＳ４１３  ＹＥＳ）、時計制御部５ｇは、ステップＳ４０１の処理に戻る。一方、誘起電圧がないと判定した場合（ステップＳ４１３  ＮＯ）、時計制御部５ｇは、予め決められた所定時間の間、制動状態に遷移させる（ステップＳ４１４）。
【０２７４】
次に、時計制御部５ｇは、第２の誘起電圧検出状態に遷移させた回数が、予め決められた繰り返し回数に到達したか否か判定する（ステップＳ４１５）。予め決められた繰り返し回数に到達していない場合（ステップＳ４１２  ＮＯ）、時計制御部５ｇは、ステップＳ４１２の処理に戻る。一方、予め決められた繰り返し回数に到達した場合（ステップＳ４１２  ＹＥＳ）、時計制御部５ｇは、予め決められた第二の所定時間の間、第２の駆動状態に遷移させる。次に、時計制御部５ｇは、ステップＳ４０１の処理に戻る。
【０２７５】
以上、本実施形態の時計１００ｇは、制動状態、第１の駆動状態、第１の誘起電圧検出状態、（場合によっては更に第１の駆動状態）、制動状態、第２の駆動状態、第２の誘起電圧検出状態、（場合によっては更に第２の駆動状態）を繰り返すことにより、時刻モータ６のロータ１６３を回転させる。
【０２７６】
本実施形態の時計１００ｇの動作は、図１４に示すフローチャートにおけるステップＳ３０６の処理以外は、同一であるのでフローチャートを省略する。図１４のステップＳ３０６において、本実施形態の消費電力制御部１０ｇは、モータ駆動回路５１のＰＭＯＳスイッチＱ５とＮＭＯＳスイッチＱ７とをＯＮ状態（導通状態）にする。これにより、消費電力制御部１０ｇは、モータ駆動回路５１に、負荷抵抗としての抵抗ＲＳ１を電源ＶＤＤと電源線ＳＶＳＳの間に挿入させる。すなわち、消費電力制御部１０ｇは、太陽電池１に予め定められた負荷（ここでは抵抗ＲＳ１）を接続させる。
【０２７７】
以上、本実施形態の時計１００ｇは、一次電源部の起電力が十分でない場合に、低消費電力状態と通常動作状態との間の遷移を繰り返すことを防止することができる。また、本実施形態の時計１００ｇは、第６の実施形態における太陽電池負荷部１３の負荷抵抗１３２を、モータ駆動回路５１の抵抗ＲＳ１と兼用することにより、第６の実施形態の時計１００ｆに比べて、回路規模の増加を軽減することができる。
【０２７８】
なお、本実施形態の時計１００ｇでは、充電検出信号の振動を防止する振動防止部は第１の負荷部を備えたが、これに限らず、振動防止部は、更に、ダイオード素子６３、チャタリング防止回路部６７のうち少なくとも１つを備えていてもよい。また、振動防止部は、上記ダイオード素子６３に代えて、第３又は第４の実施形態における各チャタリング防止部（１１ｃ、１１ｄ）のうち少なくとも１つを備えていてもよい。
【０２７９】
なお、上記の実施形態において、時計１００における発振制御部３、水晶発振子４、時計制御部５、電池電圧検出部８、充電検出逆流防止部９、及び消費電力制御部１０の各部は、専用のハードウェアによって実現されてもよく、また、メモリ及びＣＰＵ（Central Processing Unit）により構成され、上述の各機能は、プログラムによって実現されてもよい。また、上述の各部は、ＩＣ（Integrated Circuit）などの集積回路によって実現してもよい。
【０２８０】
また、上記の各実施形態において、時計（１００ｂ、１００ｃ、１００ｄ、１００ｅ、又は１００ｆ、１００ｇ）における各部は、専用のハードウェアによって実現されてもよく、また、メモリ及びＣＰＵ（Central Processing Unit）により構成され、上述の各機能は、プログラムによって実現されてもよい。また、上述の各部は、ＩＣ（Integrated Circuit）などの集積回路によって実現してもよい。
【０２８１】
なお、上述した時計（１００、１００ｂ、１００ｃ、１００ｄ、１００ｅ、又は１００ｆ、１００ｇ）は内部に、コンピュータシステムを有している。そして、上述した各部の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【０２８２】
１…太陽電池、２…二次電池、３…発振制御部、４…電圧検出部、５、５ｇ…時計制御部、６…時刻モータ、７…スイッチ、８…電池電圧検出部、９、９ｂ、９ｃ、９ｄ、９ｅ…充電検出逆流防止部（充電検出部）、１０、１０ｇ…消費電力制御部、１１、１１ｃ、１１ｄ、１１ｅ…チャタリング防止部、１２…発振回路部、１３…太陽電池負荷部（第１の負荷部）、２０、２０ｂ、２０ｃ、２０ｄ、２０ｅ、２０ｆ、２０ｇ…消費電力制御装置、３１…発振定電圧回路部、３２…発振回路部、５１…モータ駆動回路、５２…ゲート信号生成部、６３…ダイオード素子、６４、６５…抵抗素子、６６…コンデンサ素子、６７…チャタリング防止回路部、９１…コンパレータ部、９２…ＮＭＯＳスイッチＱ７…ＮＭＯＳスイッチ、１００、１００ｂ、１００ｃ、１００ｄ、１００ｅ、１００ｆ、１００ｇ…時計（時計装置）、１３１…ＰＭＯＳスイッチ、１３２…負荷抵抗、コイル…１６１、導電体１６２、ロータ１６３、６７１、６７２…フリップフロップ、６７３…インバータ、Ｑ１、Ｑ２…ＮＭＯＳスイッチ、Ｑ３、Ｑ４、Ｑ５、Ｑ６…ＰＭＯＳスイッチ
【図１】
0005823747.tif 000002
【図２】
0005823747.tif 000003
【図３】
0005823747.tif 000004
【図４】
0005823747.tif 000005
【図５】
0005823747.tif 000006
【図６】
0005823747.tif 000007
【図７】
0005823747.tif 000008
【図８】
0005823747.tif 000009
【図９】
0005823747.tif 000010
【図１０】
0005823747.tif 000011
【図１１】
0005823747.tif 000012
【図１２】
0005823747.tif 000013
【図１３】
0005823747.tif 000014
【図１４】
0005823747.tif 000015
【図１５】
0005823747.tif 000016
【図１６】
0005823747.tif 000017
【図１７】
0005823747.tif 000018
【図１８】
0005823747.tif 000019
【図１９】
0005823747.tif 000020
【図２０】
0005823747.tif 000021
【図２１】
0005823747.tif 000022
【図２２】
0005823747.tif 000023
【図２３】
0005823747.tif 000024
【図２４】
0005823747.tif 000025